(57)【要約】  トラフィックを多重化するシステムおよび方法を開示する。ユーザ機器（UE）などの無線デバイスは、第1のダウンリンク伝送を搬送するように割り当てられた第1のリソースを介して基地局から第1の信号を受信し、第1のダウンリンク制御指示（DCI）メッセージを基地局から受信し得る。第1のDCIメッセージは、先取り領域（PR）指示およびPRビットマップを含み得、PR指示は、時間周波数領域の位置を示し得る。PRビットマップは、時間周波数領域の異なる部分に関連付けられたビットを含むことができ、PRビットマップのビットの各々は、時間周波数領域の対応する部分に先取りダウンリンク伝送が存在するかどうかを示し得る。
2020530960.tif 000002
【特許請求の範囲】
【請求項１】
無線通信のための方法であって、
ユーザ機器（UE）によって基地局（BS）から、ダウンリンク伝送を搬送するために割り当てられた第1のリソースを介して第1の信号を受信するステップと、
前記UEによって前記BSから、第1のダウンリンク制御指示（DCI）メッセージを受信するステップであって、前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、ステップとを含む、方法。
【請求項２】
前記ビットマップに含まれる前記ビットは連続ビットであり、前記時分割ビットグループの各々は2つ以上の連続ビットを含む、請求項1に記載の方法。
【請求項３】
前記時分割ビットグループの各々は第1のビットおよび第2のビットを含み、前記第1のビットは最初の周波数分割に対応し、前記第2のビットは最後の周波数分割に対応する、請求項1から2のいずれか一項に記載の方法。
【請求項４】
前記時分割ビットグループの各々の前記第1のビットは同じ最初の周波数分割に対応し、前記時分割ビットグループの各々の前記第2のビットは同じ最後の周波数分割に対応する、請求項3に記載の方法。
【請求項５】
前記UEによって前記BSから、前記DCIメッセージのペイロードサイズを示す第1の無線リソース制御（RRC）メッセージを受信するステップ
をさらに含む、請求項1から4のいずれか一項に記載の方法。
【請求項６】
前記第1のRRCメッセージは前記時間周波数領域をさらに示す、請求項5に記載の方法。
【請求項７】
前記第1のRRCメッセージは時間および周波数分割それぞれの粒度をさらに示す、請求項5から6のいずれか一項に記載の方法。
【請求項８】
前記第1のRRCメッセージは無線ネットワーク一時識別子（RNTI）フィールドをさらに含む、請求項5から7のいずれか一項に記載の方法。
【請求項９】
前記ビットマップの前記ビットの各々は、前記時間周波数領域の前記対応する部分に別のUEのための先取りダウンリンク伝送が存在するかどうかを示す、請求項1から8のいずれか一項に記載の方法。
【請求項１０】
前記UEによって上位層構成指示を受信するステップであって、前記構成指示は無線ネットワーク一時識別子（RNTI）で前記UEを構成する、ステップをさらに含む、請求項1から9のいずれか一項に記載の方法。
【請求項１１】
無線通信用に設定されたユーザ機器（UE）であって、前記UEは、
命令を含む非一時的なメモリストレージと、
前記メモリと通信する1つ以上のプロセッサであって、前記1つ以上のプロセッサは、前記命令を実行して
基地局（BS）から、ダウンリンク伝送を搬送するために割り当てられた第1のリソースを介して第1の信号を受信し、
前記BSから第1のダウンリンク制御指示（DCI）メッセージを受信する、1つ以上のプロセッサとを含み、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、UE。
【請求項１２】
前記ビットマップに含まれる前記ビットは連続ビットであり、前記時分割ビットグループの各々は2つ以上の連続ビットを含む、請求項11に記載のUE。
【請求項１３】
前記時分割ビットグループの各々は第1のビットおよび第2のビットを含み、前記第1のビットは最初の周波数分割に対応し、前記第2のビットは最後の周波数分割に対応する、請求項11から12のいずれか一項に記載のUE。
【請求項１４】
前記時分割ビットグループの各々の前記第1のビットは同じ最初の周波数分割に対応し、前記時分割ビットグループの各々の前記第2のビットは同じ最後の周波数分割に対応する、請求項13に記載のUE。
【請求項１５】
前記1つ以上のプロセッサは、前記命令をさらに実行して、
前記DCIメッセージのペイロードサイズを示す第1の無線リソース制御（RRC）メッセージを受信する、請求項11から14のいずれか一項に記載のUE。
【請求項１６】
前記第1のRRCメッセージは前記時間周波数領域をさらに示す、請求項15に記載のUE。
【請求項１７】
前記第1のRRCメッセージは時間および周波数分割それぞれの粒度をさらに示す、請求項15から16のいずれか一項に記載のUE。
【請求項１８】
前記第1のRRCメッセージは無線ネットワーク一時識別子（RNTI）フィールドをさらに含む、請求項15から17のいずれか一項に記載のUE。
【請求項１９】
前記ビットマップの前記ビットの各々は、前記時間周波数領域の前記対応する部分に別のUEのための先取りダウンリンク伝送が存在するかどうかを示す、請求項11から18のいずれか一項に記載の方法。
【請求項２０】
前記UEによって上位層構成指示を受信するステップであって、前記構成指示は無線ネットワーク一時識別子（RNTI）で前記UEを構成する、ステップをさらに含む、請求項11から19のいずれか一項に記載の方法。
【請求項２１】
無線通信のための方法であって、
基地局（BS）によってユーザ機器（UE）へ、ダウンリンク伝送を搬送するために割り当てられた第1のリソースを介して第1の信号を送信するステップと、前記BSによって前記UEに、第1のダウンリンク制御指示（DCI）メッセージを送信するステップであって、前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、ステップとを含む、方法。
【請求項２２】
前記ビットマップに含まれる前記ビットは連続ビットであり、前記時分割ビットグループの各々は2つ以上の連続ビットを含む、請求項21に記載の方法。
【請求項２３】
前記時分割ビットグループの各々は第1のビットおよび第2のビットを含み、前記第1のビットは最初の周波数分割に対応し、前記第2のビットは最後の周波数分割に対応する、請求項21から22のいずれか一項に記載の方法。
【請求項２４】
前記時分割ビットグループの各々の前記第1のビットは同じ最初の周波数分割に対応し、前記時分割ビットグループの各々の前記第2のビットは同じ最後の周波数分割に対応する、請求項23に記載の方法。
【請求項２５】
前記BSによって前記UEに、前記DCIメッセージのペイロードサイズを示す第1の無線リソース制御（RRC）メッセージを送信するステップ
をさらに含む、請求項21から24のいずれか一項に記載の方法。
【請求項２６】
前記第1のRRCメッセージは前記時間周波数領域をさらに示す、請求項25に記載の方法。
【請求項２７】
前記第1のRRCメッセージは時間および周波数分割それぞれの粒度をさらに示す、請求項25から26のいずれか一項に記載の方法。
【請求項２８】
前記第1のRRCメッセージは無線ネットワーク一時識別子（RNTI）フィールドをさらに含む、請求項25から27のいずれか一項に記載の方法。
【請求項２９】
前記ビットマップの前記ビットの各々は、前記時間周波数領域の前記対応する部分に別のUEのための先取りダウンリンク伝送が存在するかどうかを示す、請求項21から28のいずれか一項に記載の方法。
【請求項３０】
前記UEによって上位層構成指示を受信するステップであって、前記構成指示は無線ネットワーク一時識別子（RNTI）で前記UEを構成する、ステップをさらに含む、請求項21から29のいずれか一項に記載の方法。
【請求項３１】
無線通信用に設定された基地局（BS）であって、前記BSは、
命令を含む非一時的なメモリストレージと、
前記メモリと通信する1つ以上のプロセッサであって、前記1つ以上のプロセッサは、前記命令を実行して
ユーザ機器（UE）へ、ダウンリンク伝送を搬送するために割り当てられた第1のリソースを介して第1の信号を送信し、
前記UEに第1のダウンリンク制御指示（DCI）メッセージを送信する、1つ以上のプロセッサとを含み、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、BS。
【請求項３２】
前記ビットマップに含まれる前記ビットは連続ビットであり、前記時分割ビットグループの各々は2つ以上の連続ビットを含む、請求項31に記載のBS。
【請求項３３】
前記時分割ビットグループの各々は第1のビットおよび第2のビットを含み、前記第1のビットは最初の周波数分割に対応し、前記第2のビットは最後の周波数分割に対応する、請求項31から32のいずれか一項に記載のBS。
【請求項３４】
前記時分割ビットグループの各々の前記第1のビットは同じ最初の周波数分割に対応し、前記時分割ビットグループの各々の前記第2のビットは同じ最後の周波数分割に対応する、請求項33に記載のBS。
【請求項３５】
前記1つ以上のプロセッサは、前記命令をさらに実行して、
前記DCIメッセージのペイロードサイズを示す第1の無線リソース制御（RRC）メッセージを前記UEに送信する、請求項31から34のいずれか一項に記載のBS。
【請求項３６】
前記第1のRRCメッセージは前記時間周波数領域をさらに示す、請求項35に記載のBS。
【請求項３７】
前記第1のRRCメッセージは時間および周波数分割それぞれの粒度をさらに示す、請求項35から36のいずれか一項に記載のBS。
【請求項３８】
前記第1のRRCメッセージは無線ネットワーク一時識別子（RNTI）フィールドをさらに含む、請求項36から37のいずれか一項に記載のBS。
【請求項３９】
前記ビットマップの前記ビットの各々は、前記時間周波数領域の前記対応する部分に別のUEのための先取りダウンリンク伝送が存在するかどうかを示す、請求項31から38のいずれか一項に記載の方法。
【請求項４０】
前記UEによって上位層構成指示を受信するステップであって、前記構成指示は無線ネットワーク一時識別子（RNTI）で前記UEを構成する、ステップをさらに含む、請求項31から39のいずれか一項に記載の方法。
【請求項４１】
基地局（BS）から、ダウンリンク伝送を搬送するために割り当てられた第1のリソースを介して第1の信号を受信し、
前記BSから、第1のダウンリンク制御指示（DCI）メッセージを受信する、
受信器を含み、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、
ユーザ機器（UE）。
【請求項４２】
命令を含むコンピュータ可読媒体であって、前記命令はプロセッサによって実行されると、ユーザ機器（UE）に
基地局（BS）から、ダウンリンク伝送を搬送するために割り当てられた第1のリソースを介して第1の信号を受信させ、
前記BSから、第1のダウンリンク制御指示（DCI）メッセージを受信させ、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、コンピュータ可読媒体。
【請求項４３】
基地局（BS）から、ダウンリンク伝送を搬送するために割り当てられた第1のリソースを介して第1の信号を受信する手段と、
前記BSから、第1のダウンリンク制御指示（DCI）メッセージを受信する手段であって、前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、手段と
を含む、ユーザ機器（UE）。
【請求項４４】
請求項1から10のいずれか一項に記載の方法を実行するように構成されたユーザ機器（UE）。
【請求項４５】
ユーザ機器（UE）に、ダウンリンク伝送を搬送するために割り当てられた第1のリソースを介して第1の信号を送信し、
前記UEに、第1のダウンリンク制御指示（DCI）メッセージを送信する、
送信器を含み、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、
基地局（BS）。
【請求項４６】
命令を含むコンピュータ可読媒体であって、前記命令はプロセッサによって実行されると、基地局（BS）に
ユーザ機器（UE）へ、ダウンリンク伝送を搬送するために割り当てられた第1のリソースを介して第1の信号を送信させ、
前記UEへ、第1のダウンリンク制御指示（DCI）メッセージを送信させ、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、コンピュータ可読媒体。
【請求項４７】
ダウンリンク伝送を搬送するために割り当てられた第1のリソースを介して第1の信号をユーザ機器（UE）に送信する手段と、
前記UEに、第1のダウンリンク制御指示（DCI）メッセージを送信する手段であって、前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、手段と
を含む、基地局（BS）。
【請求項４８】
請求項21から30のいずれか一項に記載の方法を実行するように構成された基地局（BS）。
【発明の詳細な説明】
【技術分野】
【０００１】
本出願は、2018年3月19日に出願された「信頼性のある低遅延通信を可能にするシステムおよび方法」なる名称の米国特許出願第15／925，452号、および2017年8月10日に出願された「信頼性のある低遅延通信を可能にするシステムおよび方法」なる名称の米国仮特許出願第62／543，825号に基づく優先権を主張し、その内容は、その全体が複製されているかのように参照により本明細書に組み込まれる。
【０００２】
本発明は、概して、ネットワーク内のリソースの割り当ての管理に関し、特定の実施形態では、信頼性のある低遅延通信を可能にするシステムおよび方法の技術およびメカニズムに関する。
【背景技術】
【０００３】
一部の無線通信システムでは、ユーザ機器（UE）は1つ以上の基地局と無線で通信する。UEから基地局への無線通信は、アップリンク通信と称される。基地局からUEへの無線通信は、ダウンリンク通信と称される。アップリンクおよびダウンリンク通信を行うにはリソースが必要である。例えば、基地局または基地局群は、特定の持続時間の間、特定の周波数で、ダウンリンク通信でUEにデータを無線で送信してもよい。周波数と持続時間は、リソースの例である。
【０００４】
基地局は、ダウンリンク通信用のリソースを、基地局によってサービスが提供されるUEに割り当てる。無線通信は、直交周波数分割多重化（OFDM）シンボルを伝送することにより行われ得る。
【０００５】
基地局によってサービスが提供される一部のUEは、基地局によってサービスが提供される他のUEよりも低いレイテンシで基地局からデータを受信する必要がある場合がある。例えば、基地局は、第1のUEおよび第2のUEを含む複数のUEにサービスしてもよい。第1のUEは、インターネット上で閲覧するために第1のUEを使用している人間によって携帯されるモバイルデバイスであり得る。第2のUEは、高速道路を走行する自律車両上の機器であり得る。基地局は両方のUEにサービスを提供しているが、第2のUEは、第1のUEよりも低いレイテンシでデータを受信する必要がある場合がある。また、第2のUEは、第1のUEよりも高い信頼性でデータを受信する必要がある場合がある。第2のUEは超高信頼・低遅延通信（URLLC）UEであってもよく、一方、第1のUEはエンハンストモバイルブロードバンド（eMBB）UEであってもよい。
【０００６】
基地局によってサービスされ、低レイテンシのダウンリンク通信を必要とするUEは、「低レイテンシUE」と称される。基地局によってサービスが提供される他のUEは、「レイテンシトレラントUE」と称される。基地局から低レイテンシUEに送信されるデータは「低レイテンシデータ」と呼ばれ、基地局からレイテンシトレラントUEに送信されるデータは「レイテンシトレラントデータ」と称される。
【０００７】
一部の状況では、低レイテンシ伝送のレイテンシ制約を満たすために、低レイテンシ伝送を優先して、スケジュールされたレイテンシトレラント伝送は完全にまたは部分的に先取りされる必要がある場合がある。送信が先取りされる低レイテンシ伝送の受信器と通信する改良された方法が望まれている。
【発明の概要】
【課題を解決するための手段】
【０００８】
技術的利点は一般に、信頼性のある低遅延通信を可能にするシステムおよび方法を説明する本開示の実施形態によって達成される。
【０００９】
一実施形態によれば、ユーザ機器（UE）によって実行され得るような無線通信のための方法が提供される。この例では、方法は、基地局からの第1のダウンリンク伝送を搬送するために割り当てられた第1のリソースを介して第1の信号を受信することを含む。方法は、基地局から第1のダウンリンク制御指示（DCI）メッセージを受信することをさらに含む。第1のDCIメッセージは、先取り領域（PR）指示およびPRビットマップを含み、PR指示は時間周波数領域の位置を示し、PRビットマップは時間周波数領域の異なる部分に関連するビットを含む。PRビットマップのビットの各々は、時間周波数領域の対応する部分に先取りダウンリンク伝送が存在するかどうかを示す。この方法を実行するための装置も提供される。一例では、PR指示に関連付けられた時間周波数領域は、事前設定された時間周波数領域のサブ領域である。そのような例では、PRビットマップは固定数のビットを含み、PR指示に関連する時間周波数領域は事前設定された時間周波数領域よりも小さいため、PRビットマップが先取りダウンリンク伝送を識別する粒度を高める。その例、または別の例では、PR指示は時間周波数領域の開始位置または終了位置を示す。任意選択で、前述の例のいずれか1つ、または別の例では、PR指示は時間周波数領域の開始周波数または終了周波数を示す。任意選択で、前述の例のいずれか1つ、または別の例では、PR指示は時間領域の時間周波数領域の持続時間を示す。
【００１０】
任意選択で、前述の例のいずれか1つ、または別の例では、PR指示フィールドは時間周波数領域の帯域幅を示す。任意選択で、前述の例のいずれか1つ、または別の例では、第1のDCIメッセージはPRビットマップのビットマップ構成をさらに含み、ビットマップ構成は、時間周波数領域の異なる時間領域リソースにマッピングされるPRビットマップのビット数と、時間周波数領域の異なる周波数領域リソースにマッピングされるPRビットマップフィールドのビット数とを識別する。
【００１１】
任意選択で、前述の例のいずれか1つ、または別の例では、方法は、基地局からの第2のダウンリンク伝送を搬送するために割り当てられたリソースを介して第2の信号を受信すること、および基地局から第2のDCIメッセージを受信することをさらに含む。第2のDCIメッセージは、第2の時間周波数領域の位置を示すPR指示を含み、第2の時間周波数領域は、時間周波数領域とは異なる持続時間または帯域幅を有する。任意選択で、前述の例のいずれか1つ、または別の例では、第1のDCIメッセージのPR指示フィールドとPRビットマップフィールドはUE固有のフィールドである。任意選択で、前述の例のいずれか1つ、または別の例では、第1のDCIメッセージのPR指示フィールドとPRビットマップフィールドはグループ固有のフィールドである。任意選択で、前述の例のいずれか1つ、または別の例では、第1の送信後に第1のDCIメッセージが受信される。
【００１２】
一実施形態によれば、基地局（BS）によって実行され得るような無線通信のための方法が提供される。この例では、方法は、第1のダウンリンク伝送をユーザ機器（UE）に搬送するために割り当てられた第1のリソースを介して第1の信号を送信することを含む。この方法は、第1のダウンリンク制御指示（DCI）メッセージをUEに送信することをさらに含む。第1のDCIメッセージは、先取り領域（PR）指示およびPRビットマップを含み、PR指示は時間周波数領域の位置を示し、PRビットマップは時間周波数領域の異なる部分に関連するビットを含む。PRビットマップのビットの各々は、時間周波数領域の対応する部分に先取りダウンリンク伝送が存在するかどうかを示す。この方法を実行するための装置も提供される。一例では、時間周波数領域は、先取りダウンリンク伝送に基づいて決定される。その例、または別の例では、PR指示に関連付けられた時間周波数領域は、事前設定された時間周波数領域のサブ領域である。そのような例では、PRビットマップは固定数のビットを含み、PR指示に関連する時間周波数領域は事前設定された時間周波数領域よりも小さいため、PRビットマップが先取りダウンリンク伝送を識別する粒度を高める。
【００１３】
任意選択で、前述の例のいずれか1つ、または別の例では、PR指示は時間周波数領域の開始位置または終了位置を示す。任意選択で、前述の例のいずれか1つ、または別の例では、PR指示は時間周波数領域の開始周波数または終了周波数を示す。任意選択で、前述の例のいずれか1つ、または別の例では、PR指示は時間領域の時間周波数領域の持続時間を示す。任意選択で、前述の例のいずれか1つ、または別の例では、PR指示フィールドは時間周波数領域の帯域幅を示す。
【００１４】
任意選択で、前述の例のいずれか1つ、または別の例では、第1のDCIメッセージはPRビットマップのビットマップ構成をさらに含み、ビットマップ構成は、時間周波数領域の異なる時間領域リソースにマッピングされるPRビットマップのビット数と、時間周波数領域の異なる周波数領域リソースにマッピングされるPRビットマップフィールドのビット数とを識別する。任意選択で、前述の例のいずれか1つ、または別の例では、方法は、基地局からの第2のダウンリンク伝送を搬送するために割り当てられたリソースを介して第2の信号を送信すること、および基地局から第2のDCIメッセージを送信することをさらに含み、第2のDCIメッセージは、第2の時間周波数領域の位置を示すPR指示を含む。第2の時間周波数領域は、時間周波数領域とは異なる持続時間または帯域幅を有する。
【００１５】
任意選択で、前述の例のいずれか1つ、または別の例では、第1のDCIメッセージのPR指示フィールドとPRビットマップフィールドはUE固有のフィールドである。任意選択で、前述の例のいずれか1つ、または別の例では、第1のDCIメッセージのPR指示フィールドとPRビットマップフィールドはグループ固有のフィールドである。任意選択で、前述の例のいずれか1つ、または別の例では、第1の送信後に第1のDCIメッセージが受信される。
【００１６】
本開示およびその利点のより完全な理解のために、添付の図面と併せて以下の説明を参照する。
【図面の簡単な説明】
【００１７】
【図１】データを通信するためのネットワークを示す。
【図２】ミニスロットアーキテクチャの実施形態を示す。
【図３】ミニスロットの構造の実施形態を示す。
【図４】ミニスロットの開始位置の2つの実施形態を示す。
【図５】ミニスロットトラフィックの明示的な事後指示の実施形態を示す。
【図６】低レイテンシトラフィック指示を備えた通信スキームの実施形態のフローチャートを示す。
【図７】半静的先取り指示／インジケータ（PI）の構造の実施形態を示す。
【図８】ミニスロットトラフィックのPIの2つの実施形態を示す。
【図９】ミニスロットトラフィックの動的PIの別の2つの実施形態を示す。
【図１０】先取り指示（PI）のためのグループダウンリンク制御情報（DCI）の構造の実施形態を示す。
【図１１】先取り領域（PR）の適合通知の実施形態を示す。
【図１２】不連続PRの実施形態を示す。
【図１３】グループ共通DCI（GC DCI）の構造の実施形態を示す。
【図１４】PRの適合通知構造の別の実施形態を示す。
【図１５】共通情報を用いてGC DCIを監視するときのUE挙動の実施形態を示す。
【図１６】共通の情報を用いてGC DCIを監視するときのUE挙動の別の実施形態を示す。
【図１７】処理システムの実施形態の図を示す。
【図１８】トランシーバの実施形態の図を示す。
【図１９】UEが無線通信を実行するための方法の実施形態のフローチャートである。
【図２０】基地局が無線通信を実行するための方法の実施形態のフローチャートである。
【発明を実施するための形態】
【００１８】
異なる図面における対応する数字および記号は、他に示されない限り、対応する部分を総括的に指す。図面は、実施形態の関連する態様を明確に示すために描かれたものであり、必ずしも縮尺通りに描かれていない。
【００１９】
本開示の実施形態の作成および使用について、以下に詳細に説明する。しかし、本明細書に開示された概念は、多種多様な特定の状況において具体化することができ、本明細書で論じる特定の実施形態は単なる例示であり、特許請求の範囲を限定するものではないことを理解されたい。さらに、添付の特許請求の範囲によって規定される本開示の精神および範囲から逸脱することなく、本明細書においてさまざまな変更、置換および改変を行うことができることを理解されたい。
【００２０】
図1は、データを通信するためのネットワーク100を示している。ネットワーク100は、カバレッジ領域112、複数のモバイルデバイス120および140、およびバックホールネットワーク130を有する基地局110を含む。示されるように、基地局110は、モバイルデバイス120および140とのアップリンク（破線）および／またはダウンリンク（点線）接続を確立し、これらはモバイルデバイス120および140から基地局110にデータを搬送する働きおよびその逆をする。アップリンク／ダウンリンク接続を介して搬送されるデータは、モバイルデバイス120と140との間で通信されるデータ、およびバックホールネットワーク130を介してリモートエンド（図示せず）と通信されるデータを含んでもよい。本明細書で使用される「基地局」という用語は、拡張ノードB（eNB）、マクロセル、フェムトセル、Wi−Fiアクセスポイント（AP）、またはその他のワイヤレス対応デバイスなど、ネットワークへの無線アクセスを提供するように構成された任意のコンポーネント（またはコンポーネントの集合）を指す。「eNB」および「基地局」という用語は、本開示全体にわたって交換可能に使用される。基地局または基地局群は、代わりに、新しい無線（NR）コンテキストではgNBと称されることがある。基地局は、ライセンス済みまたはライセンスなしのスペクトラム上の1つ以上の無線通信プロトコル、例えばLong Term Evolution（LTE）、LTE advanced（LTE−A）、高速パケットアクセス（HSPA）、Wi−Fi 802．11a／b／g／n／acなどに従って無線アクセスを提供できる。本明細書で使用される「モバイルデバイス」という用語は、ユーザ機器（UE）、モバイルステーション（STA）、および他のワイヤレス有効デバイスなど、基地局との無線接続を確立することができる任意のコンポーネント（またはコンポーネントの集合）を指す。一部の実施形態では、ネットワーク100は、リレー、低電力ノードなど、さまざまな他の無線デバイスを含んでもよい。
【００２１】
モバイルデバイスまたはUE120は低レイテンシUEであってもよく、モバイルデバイスまたはUE140はレイテンシトレラントUEであってもよい。すなわち、UE120は、UE140と比較してより低いレイテンシのダウンリンク通信を必要としてもよい。例えば、UE120はURLLC UEであってもよく、UE140はeMBB UEであってもよい。本開示におけるURLLCおよびeMBBへの言及は、低レイテンシトラフィックおよびレイテンシトレラントトラフィックの例に過ぎず、本明細書で説明される原理は、異なるレイテンシ要件を有する任意の2つのトラフィックタイプ（および／またはUEタイプ）に等しく適用可能であることを理解されたい。一部の例は、高い信頼性を必要としない低レイテンシトラフィックや、それほど厳格ではない信頼性要件を備えたレイテンシトレラントトラフィックを含む。特定のレイテンシ要件を有するかもしれない一部のユースケースは、大規模マシンタイプ通信（mMTC）および／または狭帯域IoTも含む。本明細書で説明するスキームは、適用可能な場合はいつでも、上記の例または他の例にも関連し得ることが理解される。図1では、基地局110は2つのUEのみにサービスするが、実際の動作では、基地局110はさらに多くのUEにサービスしてもよい。単一のUE120、140が複数の基地局110によってサービスが提供されることも考えられる。レイテンシトレラントUEへのダウンリンク伝送は通常、認可ベースであるが、認可なしで（例えば、認可免除で）実行することもできる。同様に、低レイテンシUEへのダウンリンク伝送は、許可の有無にかかわらず実行できる。
【００２２】
基地局110がUE120および／または140に送信するデータを有する場合、基地局110は、割り当てられたリソース、例えば時間／周波数リソースを使用して1つ以上のダウンリンク伝送でこのデータを送信する。UE12o、140への送信のために特定のリソースパーティションが割り当てられてもよい。時間／周波数リソースの一部は（例えば、URLLC UE 120への）低レイテンシデータのダウンリンク伝送に使用されてもよく、この部分は低レイテンシリソースと呼ばれてもよい。時間／周波数リソースの一部の他の部分は、（例えば、eMBB UE 140への）レイテンシトレラントデータのダウンリンク伝送に使用されてもよく、この部分はレイテンシトレラントリソースと呼ばれてもよい。低レイテンシリソースとして使用されるリソースの部分は、例えば、トラフィックの負荷、帯域幅の要件、レイテンシなどの要因に基づいて時間の経過とともに動的または半静的に変化する場合がある。レイテンシトレラントリソースと低レイテンシリソースは、異なるタイプのリソースの例にすぎないことに注意することが重要である。一般に、本明細書で説明する原理は、異なるレイテンシを有する、または異なるサービス品質（QoS）要件を有する異なるタイプのトラフィックに使用できる任意の2タイプのリソースにも適用できる。
【００２３】
低レイテンシデータは、本質的にバースト性または散発性であり、短いパケットで送信される場合がある。低レイテンシデータ専用のリソースを確保するのは非効率的かもしれない。したがって、レイテンシトレラントトラフィックのリソース割り当てが時間および周波数領域の低レイテンシトラフィックのリソース割り当てと重複する共存領域を定義できる。レイテンシトレラントUEは、共存領域と重複するリソースでスケジュールされている場合、送信中に低レイテンシトラフィックの存在を監視できる。別の例では、特定の共存領域を予約することはできない。共存は、キャリア帯域幅（BW）内の共有時間周波数リソース内で動的に発生する場合がある。さらに、共存リソースが複数のキャリアBWにまたがることも可能である。
【００２４】
既存の技術では、指示ベースのダウンリンク（DL）多重化を利用できる。レイテンシトレラントトラフィックの影響を受けた送信中および／または送信後の低レイテンシトラフィックの暗黙的および明示的な指示のための可能なシグナリングソリューションが望ましい場合がある。提案されたソリューションは、レイテンシトレラントトラフィックのコードブロックのインターリーブを使用でき、共存エクスペリエンスの向上のためにレイテンシトレラント−トランスポートブロック（TB）マッピングも更新されてもよい。
【００２５】
低レイテンシリソースは、送信時間単位（TTU）に分割できる。低レイテンシリソースのTTUは、「低レイテンシTTU」と呼ばれてもよい。TTUは、特定のタイプの送信、例えば低レイテンシのデータ伝送に割り当てることができる時間の単位であり得る。送信は、スケジュールすることもスケジュールしないこともできる。一部の実施形態では、TTUは、特定のタイプの送信に割り当てることができる時間の最小単位である。また、TTUは、送信時間間隔（TTI）と称されることもある。他の実施形態では、低レイテンシTTUは、所定のニューメロロジーのための整数個のシンボルを含む。
【００２６】
レイテンシトレラントリソースは、スケジューリング間隔に分割されてもよく、レイテンシトレラントリソースのスケジューリング間隔は、「レイテンシトレラントUEスケジューリング間隔」と呼ばれてもよい。レイテンシトレラントUEスケジューリング間隔は、レイテンシトレラントUEへのデータ伝送のためにスケジュールできる最小の時間間隔である。レイテンシトレラントスケジューリング間隔は、レイテンシトレラントTTUと称されることもある。レイテンシトレラントTTUは、特定のニューメロロジーの1つ以上のシンボル／スロットにまたがることがある。例えば、レイテンシトレラントTTUは、15 kHzのサブキャリア間隔に基づいた14個のシンボルで構成される1ミリ秒である。スロットが7個のシンボルとして定義されている場合、この例では、レイテンシトレラントTTUまたはスケジューリング間隔が2つのスロットにまたがる。低レイテンシTTUは、レイテンシトレラントTTUよりも短い持続時間を有する場合がある。低レイテンシリソースのより短い持続時間のトランスポートブロック（TB）を送信することにより、低レイテンシUEへのデータ伝送のレイテンシを減らすことができる。
【００２７】
一部の実施形態では、低レイテンシリソースは、レイテンシトレラントリソースのニューメロロジーとは異なるニューメロロジーを有し、例えば、低レイテンシリソースのサブキャリア間隔は、レイテンシトレラントリソースのサブキャリア間隔とは異なる。低レイテンシリソースは、レイテンシトレラントリソースのサブキャリア間隔よりも大きいサブキャリア間隔を有する場合がある。例えば、低レイテンシリソースのサブキャリア間隔は60 kHzで、レイテンシトレラントリソースのサブキャリア間隔は15 kHzである。より大きなサブキャリア間隔を使用することにより、低レイテンシリソースの各OFDMシンボルの持続時間は、レイテンシトレラントリソースの各OFDMシンボルの持続時間よりも短くなる場合がある。レイテンシトレラントTTUおよび低レイテンシTTUは、同じ数のシンボルまたは異なる数のシンボルを含む場合がある。レイテンシトレラントTTUおよび低レイテンシTTUのシンボルは、同じニューメロロジーまたは異なるニューメロロジーを有する場合がある。ニューメロロジーに関係なく、TTUが固定数のOFDMシンボルを有すると定義されている場合、レイテンシトレラントUEスケジューリング間隔中に複数の低レイテンシTTUを送信できる。例えば、レイテンシトレラントUEスケジューリング間隔は、低レイテンシTTUの整数倍であってもよい。レイテンシトレラントTTUおよび／または低レイテンシTTUのシンボルの長さは、レイテンシトレラントTTUおよび／または低レイテンシTTUのサイクリックプレフィックスの長さを変更することで変更できる。他の実施形態では、低レイテンシリソースとレイテンシトレラントリソースは同じニューメロロジーを有する。ここで、低レイテンシTTUは、レイテンシトレラントUEスケジューリング間隔のOFDMシンボルの数と比較して、より少ないOFDMシンボルを有するように定義することができ、それにより、レイテンシトレラントUEスケジューリング間隔内に複数の低レイテンシTTUが依然として存在する。例えば、低レイテンシTTUの持続時間は、単一のOFDMシンボルと同じくらい短い場合がある。また、低レイテンシ伝送とレイテンシトレラント伝送は、それらが同じニューメロロジーを有するかどうかにかかわらず、TTUごとに同じ数のシンボルを有していな
い場合があることも考えられる。異なるニューメロロジーが使用される場合、低レイテンシTTUのシンボルは、同じまたは異なるCPオーバーヘッドを有するレイテンシトレラントTTUの1つ以上のシンボルの境界に整列する場合がある。
【００２８】
TTUは、いくつかのスロット、例えば20個のスロットに分割できる。低レイテンシスロット持続時間は、レイテンシトレラントスロットまたはLong−Term Evolution（LTE）スロットと同じかそれより短い場合がある。ミニスロットは、スロット内のシンボル数よりも少ない任意の数のシンボル、例えば、スロットが7シンボルの場合は1、3、6シンボルを含むことができる。
【００２９】
図2は、ミニスロットアーキテクチャの実施形態を示している。この例では、ミニスロットは2つのシンボルにまたがっている。低レイテンシTTUは、物理制御フォーマットインジケータチャネル（PCFICH）または物理ハイブリッド自動再送要求（ARQ）インジケータチャネル（PHICH）を含む場合がある。あるいは、PCFICHおよび／またはPHICHインジケータは低レイテンシTBから除外されてもよい。低レイテンシTTUの制御情報は、第1のシンボルに制限されてもよい。低レイテンシトラフィックの制御情報を含むリソース要素（Res）は、連続する場合としない場合がある。同じ復調基準信号（DMRS）を低レイテンシ制御情報とデータに使用できる。時間領域の粒度が短いため、ミニスロットがスケジュールされている場合、最小限のリソース粒度のために複数のリソースブロックをグループ化することができる。リソースブロックグループ（RBG）ベースのリソース割り当て粒度は、最小の粒度を持つコンパクトなダウンリンク制御情報（DCI）または1 RBGに基づいてもよい。
【００３０】
DMRSは、前方搭載するか、ミニスロット持続時間中に配布できる。物理ダウンリンク制御チャネル（PDCCH）の制御チャネル要素（CCE）のより高い集約レベルをサポートでき、信頼性を高めるためにミニスロットごとにスケジュールされるUEの数を減らすことができる。
【００３１】
図3は、ミニスロットの構造の実施形態を示している。低レイテンシミニスロットは、レイテンシトレラントリソースのニューメロロジーとは異なるニューメロロジーを有する場合がある。低レイテンシデータの送信は、スロットベースまたはミニスロットベースであってもよい。例えば、レイテンシトレラント伝送は、複数の低レイテンシ伝送を含むのに十分な長さの持続時間を有してもよい。低レイテンシTTU持続時間の例と、レイテンシトレラントUEスケジューリング間隔の例を示す。eMBB制御情報302は、単一のスロットまたは連続したスロットのセットの先頭で予約されてもよい。ロングサイクリックプレフィックス（CP）eMBBシンボル304は、通常のCP eMBBシンボル310よりわずかに長くてもよく、ロングCP URLLCシンボル306は、通常のCP URLLCシンボル308よりわずかに長くてもよい。図3に示されるように、低レイテンシシンボルまたはURLLCシンボルは、レイテンシトレラントシンボルまたはeMBBシンボルの帯域幅全体に及ばない場合がある。図3に示す例示的な時間／周波数リソースでは、特定のリソースパーティションが、レイテンシトレラントUEおよび低レイテンシUEへの送信のためにスケジュールされる。ただし、示されているリソースパーティションは単なる例である。また、時間／周波数リソースに加えて、コード、電力、および／または空間リソースなど、レイテンシトレラントUEおよび低レイテンシUEへの送信のために他のリソースを割り当てることができる。
【００３２】
図4は、ミニスロットの開始位置の2つの実施形態を示している。時間および／または周波数領域でのミニスロットの開始位置は、レイテンシトレラント伝送に使用されるスロット／TTUのフレーム構造に依存する。例えば、フレーム構造は、制御チャネルフィールド、データチャネルフィールド、およびスロットのパイロットフィールドで構成される。ミニスロットの開始位置は、スロットの制御チャネルフィールドおよび／またはパイロットフィールドに直交して、レイテンシトレラントトラフィックのスロット伝送の性能低下を回避することができる。レイテンシトレラント制御情報402が1つまたは2つのシンボルに及ぶかどうかに応じて、レイテンシトレラント制御情報401は、レイテンシトレラントスロットの第1のシンボルを完全に占有しない場合がある。ミニスロット404はレイテンシトレラントスロットの第1のシンボルで開始してもよく、またはレイテンシトレラント制御および基準信号は第1のシンボルを完全に占有してもよく、ミニスロット404は第2のシンボルで開始してもよい。他の例も可能である。例えば、ミニスロットは、前のスロットの最後の1つ以上のシンボルと後続のスロットの最初の1つ以上のシンボルに重なるように、2つのスロット間の境界に重なることがある。別の実施形態において、進行中のレイテンシトレランス送信は、レイテンシトレランス送信の一部を低レイテンシ伝送（図4には図示せず）に置き換えることにより「パンクチャ」され得る。あるいは、パンクチャの代わりに、レイテンシトレラント伝送と低レイテンシ伝送を同じ時間周波数リソースに重ね合わせることができ、任意選択で、パワーオフセットまたは所期の各受信器が対応する送信を識別およびデコードするための他の適切な方法を使用できる。パンクチャされたレイテンシトレラントTBについて本明細書で説明されるシグナリング方法は、重ね合わされた低レイテンシおよびレイテンシトレラント伝送を示すためにも使用され得る。
【００３３】
以下の説明は低レイテンシトラフィックのミニスロットベースの送信を想定している場合でも、本明細書で説明する方法は、例えばミニスロットまたはスロット形式、またはニューメロロジーのミニスロットまたはスロットの集合体を含む他の形式またはタイプの低レイテンシ伝送に適用できると考えられる。
【００３４】
低レイテンシトラフィックの到着／存在の指示は、通常、いずれかの送信タイプで制御シグナリング用に予約されているリソースを介して、またはレイテンシトレラント伝送内のデータにそれ以外の方法で割り当てられるリソース内で追加の制御シグナリングを送信することで通知される。例えば、さまざまな制御メッセージを使用して、低レイテンシトラフィック（URLLCトラフィックなど）が到着したときに低レイテンシおよびレイテンシトレラントトラフィックを示すことができる。あるいは、単一の制御メッセージを使用して、レイテンシトレラントUEスケジューリング間隔の終わりに低レイテンシおよびレイテンシトレラントトラフィックを示すことができる。低レイテンシトラフィックのシグナリングは、明示的または暗黙的であってもよい。明示的に示すために、一部のRE（例えば、1つのシンボル内に含まれているか、複数の連続または非連続シンボルにまたがっている）をシグナリングに使用できる。一実施形態では、URLLC伝送が発生するレイテンシトレラントトラフィックまたはeMBBシンボルの1つ以上のREをシグナリングに使用することができる。URLLCミニスロットは、これらのREをスケジューリングに使用しないようにすることができ、例えば、残りのREに対してURLLCトラフィックのレートが一致する場合がある。別の実施形態では、シグナリングを含むREは、URLLCミニスロットリソースと重複しない。例えば、シグナリングを含むREは、ミニスロットを含むシンボルとは異なる時間周波数リソースに対応する場合がある。低レイテンシトラフィックとeMBBパイロット信号の存在を示すシグナリングは、異なるリソースにまたがってスケジュールできる。あるいは、低レイテンシトラフィックの存在を示すシグナリングは、eMBBパイロット信号を含むREではなく、eMBBパイロット信号を含む1つ以上のシンボルでスケジュールすることができる。さらに別の代替案として、eMBBパイロット信号を含むREでミニスロットシグナリングをスケジュールすることができる。ミニスロットシグナリングがeMBBパイロット信号と同じ時間周波数リソースを介して送信される場合、ミニスロットシグナリングとeMBBパイロット信号は、（例えば、直交カバーコードを使用して）または空間多重化によってコード領域で直交する
場合があり、これにより、各受信器はその送信を識別および復号できる。
【００３５】
あるいは、eMBB間隔／TTUの終わりにあるeMBBシンボルの1つ以上のREを使用して、間隔全体におけるURLLC到着の情報を収集することができる。集合的な指示に使用されるREは、通常のeMBBデータをパンクチャする場合があり、他のパンクチャされたデータと一緒に後で送信される場合がある。
【００３６】
暗黙的な指示については、既存のeMBB制御、URLLC制御、DMRS、および／または他のシグナリングを使用して、URLLCトラフィックの存在を示すことができる。ミニスロットリソースまたはeMBBスロットリソース（eMBBパイロット信号など）を利用できる。例えば、可能性のある指示のために、eMBB UEによって（一部の）ミニスロット制御および／またはDMRSが盲目的に検出されてもよい。eMBBトラフィックが複数の集約されたスロットでスケジュールされている場合、各スロットでDMRSはそのスロットに低レイテンシ伝送が含まれているかどうかを通知する。例えば、レイテンシトレラント伝送の各TTU／スロットでは、低レイテンシトラフィックが存在するかどうかに基づいて、基地局によってDMRSシーケンスが選択される。レイテンシトレラント受信器は、どのシーケンスが送信されるかを盲目的に検出する。別の例では、低レイテンシトラフィックが到着した場合に、DMRSの異なるパターンを送信できる。
【００３７】
図5は、ミニスロットトラフィックの明示的な事後指示の実施形態を示している。この例では、ミニスロット502の持続時間は事前に構成されているか静的であり、ミニスロットの開始位置も事前に構成されている。インジケータシーケンス506は、ミニスロットシグナリング用に予約された時間および周波数リソースを識別してもよい。例えば、レイテンシトレランストランスポートブロックが周波数のx個のミニスロット粒度と時間のy個のミニスロット粒度にまたがる場合、事後指示にはxy個のビットが含まれ、どの時間周波数領域が先取りされたかを識別する。オーバーヘッドが懸念される場合は、時間および／または周波数領域の先取り情報のみを伝達できる。上記の例によると、時間（周波数）領域の先取り情報が提供される場合にのみ、事後指示にxビット（yビット）が含まれてもよい。別の例では、いくつかの時間周波数リソースをグループ化して、グループベースの先取り指示を提供でき、これは、レイテンシトレラントTTU内のすべての時間周波数リソースの粒度の情報が伝達される場合と比較して、必要なビットが少なくなる。
【００３８】
上記から分かるように、レイテンシトレラント伝送（eMBBなど）中に低レイテンシ伝送（URLLCトラフィックなど）の存在をeMBB UEに示す多くの方法がある。例えば、パンクチャリングまたは先取り指示（PI）を使用できる。代替的または追加的に、指示は、eMBB UEのためのダウンリンク伝送が存在するかどうかを単に示してもよい。代替的または追加的に、別のUE（例えば、URLLC UE）のための（先取り）低レイテンシ伝送が存在するかどうかの指示が使用されてもよい。例えば、eMBB UEのためのレイテンシトレラント伝送が存在するという指示は、別のUE（例えばURLLC UE）のための（先取り）低レイテンシ伝送が存在しないという指示であり、逆に、eMBB UEのためのレイテンシトレラント伝送が存在しないという指示は、別のUS（例えばURLLC UE）のための（先取り）低レイテンシ伝送が存在するという指示であってもよい。他の可能性は指示のために存在する。
【００３９】
図6は、パンクチャリングまたは先取り指示（PI）を使用して、レイテンシトレラントUE向けの第1のデータ（例えば、レイテンシトレラントデータ）用にスケジュールされたリソース上の低レイテンシUE向けの第2のデータ（例えば、低レイテンシデータ）の存在をレイテンシトレラントUEに示す通信方式の実施形態のフローを示す。図6に示されるように、ステップ601で、gNodeB（gNB）／eNBからeMBB UEなどのレイテンシトレラントUEに構成指示が送信される。構成指示は、UEがPIを適切に処理できるようにするための1つ以上のパラメータを含むことができる。例えば、構成指示を使用して、先取りが発生する可能性があることをeMBB UEに通知する、および／またはeMBB UEで監視機能をオンまたはアクティブにして、eMBB UEのためのDLスケジューリング許可で割り当てられたリソース上の第2のデータ（例えば、低レイテンシトラフィック）の存在を示す1つ以上のPIを監視することができる。ステップ602で、gNBはeMBB UEにDLスケジューリング許可（例えば、スケジューリング間隔T1用）を送信することができ、ステップ603で、gNBは、eMBB UEに第1のDLデータ（例えば、レイテンシトレラントデータ）を送信することができる。ステップ601および602の指示および許可は、異なるメッセージまたは1つのメッセージで送信されてもよい。ステップ604に示されるように、eMBB UEは、図6の例ではスケジューリング間隔T1に等しい監視期間T1中にPIを監視することができる。他の実施形態では、例えば、PIがグループ共通指示である場合、監視期間は、スケジューリング間隔とは異なり（例えば、より長いまたは短い）、例えば、複数のスケジューリング間隔または1つの間隔の一部だけにまたがることができる。一部の実施形態では、構成指示は監視期間を指定する。監視行動は、例えば、eMBB UEがスケジュールされた直後、ダウンリンク許可が受信された時点からのXシンボルまたはスロットの一部のオフセット後（例えば、ステップ602）、またはスケジュールされた送信が終了した後など、異なる時点で開始し得る。PIは、例えば、UEがスケジュールされた後、eMBB UEがY回の機会／時間でPIを監視できるようにするために、監視周期で構成されてもよい。Yの値は、構成指示を介して構成でき、構成は半静的または動的に実行できる。Yの値は、送信持続時間および／または送信によって占有される周波数リソースおよび／または連続する監視機会間の間隔に依存する場合がある。連続する監視機会の間隔は、Zスロットまたはシンボルまたはミリ秒であり、これらも設定できる。以下でさらに詳細に説明するように、先取りイベント用にeMBB UEを適切に設定するために、他の設定パラメータも設定指示で送信される。
【００４０】
ステップ605で、gNBは、DLスケジューリング許可をURLLC UEなどの低レイテンシUEに送信することができ、ステップ606で、gNBは、第2のDLデータ（例えば、低レイテンシデータ）をURLLC UEに送信することができる。ステップ607で、ステップ603で送信されたDLスケジューリング許可で識別されたリソース上の第2のデータ（例えば、低レイテンシトラフィックの存在を示すために、1つ以上のPI（1つのみを示す）をgNBによってeMBB UEに送信することができる。
【００４１】
ステップ608で、別の構成指示がgNodeBからeMBB UEに送信され、例えば、eMBB UEに、図6ではスケジューリング間隔T2に等しい監視なし期間T2中は先取り指示の監視機能をオフまたは非アクティブ化するように促す。他の例では、非監視期間は、スケジューリング間隔とは異なり（例えば、より長いまたは短い）、例えば、複数のスケジューリング間隔T2または1つの間隔T2の一部だけにまたがる場合がある。一部の実施形態では、ステップ608に示される構成指示は、同じまたは異なる構成パラメータのセットを含むことができ、および／またはステップ601に示される構成指示と同じまたは異なる形式を有することができる。ステップ609で、gNBは、DLスケジューリング許可（例えば、スケジューリング間隔T2）をeMBB UEに送信することができ、ステップ610で、gNBは、第3のDLデータ（例えば、レイテンシトレラントデータ）をeMBB UEに送信することができる。ステップ608および609における指示および許可は、異なるメッセージまたは1つのメッセージで送信されてもよい。eMBB UEは、その監視機能をオフにするようにという構成インジケータを受信したため、ステップ611に示されるように、eMBB UEは、間隔T2の間、先取りインジケータを監視しない。
【００４２】
一部の実施形態では、構成指示は、eMBBがその後受信するPIによって示される可能性がある先取り送信またはイベントをeMBB UEが適切に処理できるようにする1つ以上のパラメータを含む。以下でさらに詳細に説明するように、PIは、時間および／または周波数先取り領域（PR）の指示と、PRの異なる部分に関連付けられ、それぞれがPRの対応する部分に先取り送信が存在するかどうかを示すビットのビットマップを含む。
【００４３】
図7は、構成指示の構造の実施形態を示している。一部の実施形態では、構成指示は、例えばRRCメッセージまたは他のタイプの半静的または上位層シグナリングを使用してeMBB UEに送信される。図7の例では、半静的構成指示は、監視間隔指示フィールド、時間および／または周波数粒度指示フィールド（例えば、PRビットマップ内のビットの時間および／または周波数分解能（以下でさらに詳細に説明する））、時間周波数領域（すなわち、PR）指示フィールド、アクティビティ持続時間フィールド（例えば、構成が有効な場合の持続時間を含む、および／または無線ネットワーク一時識別子（RNTI）フィールドを含む。構成指示は、ペイロードの特定のNビットのPRビットマップ形式の通知をさらに含むことができる。例えば、N＝xyビットでは、xは時間粒度／分割の数、yは周波数粒度／分割の数である。xとyの値も構成指示に含まれる場合がある。すべてがxy＝Nビットを有する、ペア｛x、y｝の異なる値が可能である。構成指示は、2次元PRビットマップがどのようにNビットビットマップに変換されるかをeMBB UEに通知することもできる。
【００４４】
一例では、PRビットマップはN＝16ビットを有し、これは16個のリソースユニットに分割されたPRに対応し、各ビットは1つのリソースユニットを表す。表Iには、リソースユニットの指標が示されており、列は時間粒度を示し、行は周波数粒度を示す。4つの時間x＝4と4つの周波数y＝4の粒度が設定されている。
【００４５】
【表１】
2020530960.tif 000003
【００４６】
さまざまなリソースユニットを表すビットをNビットにグループ化できる方法はさまざまである。一例では、Nビットは［f1、f2、f3、f4］、つまり［1、2、3、4、5、．．．、8、9、．．．、12、13、．．．、16］（エントリは1行ずつ追加される）または［t1、t2、t3、t4］、つまり［1、5、9、13、2、．．．、14、3、．．．、15、4、．．．、16］（エントリは1列ずつ追加される）というように体系づけられる。ここでは、16ビットとx＝4およびy＝4が例としてのみ使用されている。実際には、xとyは任意の正の整数にすることができ、｛x、y｝のペアの任意の組み合わせに同様のマッピングまたは変換手法を適用できる。ユニットを表すビットを異なるインターリーブパターンでグループ化する他の代替方法があり、これはUEに通知される。
【００４７】
構成指示は、eMBB UEがPIを監視する必要がある回数またはその機会をeMBB UEに通知することもできる。上述のように、eMBB UEは、時間および／または周波数でY回の機会にPIを監視することができる。Yの正確な値は、半静的シグナリング（RRCなど）を介して明示的に通知されるか、データ伝送に割り当てられたRBの送信持続時間および／またはRBの位置および数および／またはPIのPDCCH監視機会に関連するDL許可に対するPDCCH監視機会の位置から暗黙的に導出される。
【００４８】
上記のように、一実施形態では、構成指示内のすべてのパラメータがグループ化されて1つの構成指示メッセージで送信されることが可能である。あるいは、半静的または動的なシグナリング（DCIなど）を使用して、1つ以上のパラメータが異なるシグナリングメッセージで送信されることもできる。半静的なシグナリングオプションは、MIBやSIBなどのブロードキャストシグナリング、またはUE固有のRRCシグナリングを含む。他のグループベースまたはセル固有のRRCシグナリングも可能である。例えば、グループ共通PIの監視周期（設定された位置／検索スペースの間隔）は、MIBまたはSIBを介して通知されてもよいが、他のパラメータはRRCシグナリングの異なる段階で通知されてもよい。あるいは、選択したUEのグループのみが監視するように構成されている場合、UE固有またはグループベースのRRCシグナリングが使用されることができる。
【００４９】
再び図7を参照すると、時間および／または周波数粒度情報はPRビットマップ（以下でさらに詳述する）を含んでもよく、時間周波数領域は先取り指示の範囲を含んでもよい。一実施形態では、ビットマップは、予約済みまたは未使用のリソースを含むまたは除外する時間周波数領域に対応してもよい。時間周波数領域、つまり先取り領域は、連続的または非連続的である。UEがダウンリンク伝送に関連付けられたPIを受信すると、UEは受信した送信信号をバッファに保存し、PRビットマップフィールドによって先取りダウンリンク伝送（URLLC伝送など）が存在するものとして示されている時間周波数領域の一部で受信した受信信号のビットまたはシンボルを、ドロップまたは別の方法で破棄する。あるいは、先取りイベント中にUEがPIを受信する実施形態では、UEは、PRビットマップフィールドによって先取りダウンリンク伝送が存在するものとして示されている時間周波数領域の一部で受信された受信信号のビットまたはシンボルのサブセットをバッファに保存せずに、受信信号のビットまたはシンボルをバッファに保存してもよい。
【００５０】
一部の実装形態では、上記の半静的構成指示の使用は、レイテンシトレラント伝送を先取りする可能性のある低レイテンシ伝送の種類と数を十分に説明できない場合がある。例えば、スケジューリングの負荷、サービスの品質要件、または利用可能なリソースに応じて、低レイテンシ伝送は、例えば少数のeMBB UEが影響を受けるある特定の領域にグループ化されるか、より多くのUEに影響を与える多くの異なる地域に広がるかのいずれかで、多くの異なる時間周波数領域で動的にスケジュールされる可能性がある。そのような状況では、PIの構成が十分に急速に変化しない場合（半静的など）、またはPIのPRビットマップによって提供される分解能が粗すぎる場合、またはPRビットマップによって提供されるカバレッジが大きすぎる場合、PIは、一部のeMBB UEに、ダウンリンク伝送が実際には先取りされていないにもかかわらず、先取りされたと誤って通知する場合がある。これは、構成指示とPIがUEのグループにサービスを提供している場合、および／またはPRビットマップで使用されるビット数が少ない場合に特に当てはまる。
【００５１】
図8は、低レイテンシトラフィックの2つの先取り指示（PI）809、810を示し、各PIは、2つの周波数パーティションと2つの時間パーティションに分割される時間周波数領域（すなわちPR）に対応する。図8の例では、PIは、半静的構成指示によって（事前に）構成されていると想定されている。この例では、PI809、810は各々4ビットのビットマップを含み、各ビットはPRの特定の時間周波数部分に対応し、先取りが発生したかどうかを示す。PI809のPRビットマップはサブ領域801〜804をアドレス指定し、PI810のPRビットマップはサブ領域805〜808をアドレス指定する。PI809〜810の各々のPRビットマップの各々のビットは、特定のサブ領域に対応し、URLLCデータの有無またはサブ領域が先取りされているかどうかを示す。第1から第2の時間パーティション中に第1のeMBB伝送814が発生し、第3から第4の時間パーティション中に第2のeMBB伝送815が発生した。第1および第2の時間パーティションはPI809によってアドレス指定され、第3および第4の時間パーティションはPI810によってアドレス指定される。
【００５２】
図から分かるように、第1のURLLCデータ伝送811は時間周波数サブ領域801および804で発生し、第1のPI809は1、0、0、および1を使用して各時間周波数サブ領域801〜804各々の先取り状態を示し、1を使用してURLLCデータ伝送の存在を示し、0を使用してURLLCデータ伝送の不在を示す。同様に、第2および第3のURLLCデータ伝送812および813は時間周波数サブ領域805〜808で発生し、第2のPI810は1、1、1、および1を使用して各時間周波数サブ領域805〜808各々の先取り状態を示す。
【００５３】
PI810は、第2のeMBB伝送815の先取り状態を正確に示すが、PI809の粒度または分解能は、第1のeMBB伝送814はURLLC伝送811によって影響を受けるが、実際に先取りされているわけではないことを示すことができるようなものである。したがって、先取りイベントをより正確に示すには、PRの適合指示を備えた動的なPI構成が有益である。
【００５４】
レイテンシトレラント伝送にさまざまな低レイテンシ伝送のセットが存在することを動的かつより正確に反映する方法は多数ある。一部の実施形態では、特定の低レイテンシ伝送の存在を示す各PI伝送について、PIは、影響を受ける時間周波数リソースをカバーするのに十分な大きさのPRのビットマップと、PRビットマップのビットに対応するPRの時間周波数部分を示すPR指示の両方を含む。示されている部分は、PR全体またはPRの一部（その中の特定のリソースセット）を表す。PR指示は、例えば、以下の態様またはパラメータのうちの1つ以上を任意の組み合わせで含む（または示す）ことができる。
1）PRの位置、
2）PRビットマップの時間周波数分解能（例えば、時間周波数粒度）
3）PRビットマップのタイプまたは形式、および
4）PRビットマップで使用されるビット数
【００５５】
進行中のレイテンシトレラント伝送に対する低レイテンシ伝送の数と配置に応じて、パラメータのいずれか1つを動的に（例えば、PI伝送ごとに）変更できる。他の実施形態では、これらのパラメータのいずれか1つは、デフォルト値または初期値、例えば（半静的）構成指示を介して事前に構成してもよい。事前設定の有無にかかわらず、これらのパラメータを（1つ以上のフィールドを使用して）PIに含めることにより、PRビットマップのビットで示される時間周波数部分が動的に変更されて、異なる時間周波数リソースで動的にスケジュールされることができる低レイテンシ伝送の存在をより正確に示すことができる。一部の実施形態では、PR周波数範囲はキャリアBW以下であり、PR持続時間は（例えば、設定指示を介して）設定されたPI監視期間以下であり得る。
【００５６】
図9は、2つの周波数パーティションおよび2つの時間パーティション901〜904に分割された第1の時間周波数領域、および2つの周波数パーティションおよび2つの時間パーティション905〜908に分割された第2の時間周波数領域に対応する低レイテンシトラフィックの2つのPIを示している。8つのサブ領域901〜908と2つの4ビットPI909〜910があり、各ビットは特定のサブ領域に対応し、URLLCデータの有無またはサブ領域が先取りされているかどうかを示す。第1から第2の時間パーティション中に第1のeMBB伝送914が発生し（ここでは第1から第2の時間パーティションよりも長い）、第3から第4の時間パーティション中に第2のeMBB伝送915が発生した。図から分かるように、第1のURLLCデータ伝送911は時間周波数サブ領域902および903で発生し、第1のPI909は0、1、1、および0を使用して各時間周波数サブ領域901〜904それぞれの先取り状態を示す。同様に、第2および第3のURLLCデータ伝送912および913は時間周波数サブ領域905〜908で発生し、第2のPI910は1、1、1、および1を使用して各時間周波数サブ領域905〜908各々の先取り状態を示す。図8または905〜908のサブ領域と比較して、4つのサブ領域901〜904はURLLC伝送911に適合し、サブ領域801〜804またはサブ領域905〜908よりも小さい。PI909は、図8のPI809よりも時間周波数領域においてより細かい粒度でURLLCデータの有無を示し、URLLCデータ伝送911の存在をより正確に示す。PI909の一部として送信されるPR指示またはPRの通知は、PRの1つ以上の態様（位置、分解能、形式、ビット数など）を適合的に構成し、先取りイベントのより正確な通知をもたらし、影響を受ける実際のeMBB伝送の数が少なくなるかもしれない。
【００５７】
一部の実施形態では、UE固有またはグループ共通のダウンリンク制御情報（DCI）がPI伝送に使用されることができ、各PIは、影響を受ける時間周波数リソースをカバーするのに十分な大きさのPRのビットマップと、PRビットマップのビットに対応するPRの時間周波数部分を示す、以上のフィールドの形式のPR指示を含むことができる。あるいは、PRは、先取り指示領域または共存領域または影響を受ける領域と称されることもある。
【００５８】
一部の実施形態では、先取りイベントが発生した領域（すなわち、先取り領域PR）と、領域の異なる部分における先取り状態を提供する先取り情報のビットマップを通知するDCIメッセージが送信される。DCIメッセージは、PIの1つ以上の構成パラメータ、例えばPRの位置、すなわち、基準点に対する時間／周波数の開始／終了位置、および／またはPRの持続時間、および／またはPIの時間および／または周波数粒度（すなわち、ビットマップのビットの分解能）、および／またはPR内の時間および／または周波数のパーティション数（すなわち、ビットマップx×yの形、xおよび／またはyの値）を動的に更新することができる。上記の基準点の例は、PI監視機会のCORESETの時間周波数位置、NRキャリアの中心／境界、同期および／またはチャネルラスターに使用されるチャネル番号、またはRMSI BWの中心／境界、最初のアクセス中にアクセスされたSSブロックまたはスロットの制御領域（すなわち、第1の2／3シンボル）の中心／境界、スロット内のDMRS位置などを含む。ここに示す例はグループ共通DCIのコンテキスト内にあるが、同様の構造または同じタイプの情報をUE固有のDCIでも伝達でき、UE固有のDCIは、PIに加えて他の情報フィールドを含む場合と含まない場合がある。
【００５９】
図10は、先取り指示（PI）1000のためのグループ共通DCIの構造の実施形態を示している。先取り指示のグループDCIまたはグループ共通DCI（GC DCI）は、PRの通知を含むフィールドA 1002、PR内の先取り情報を提供するビットマップを含むフィールドB 1004、ビットマップおよび／またはPRの構成を含むフィールドC 1006、および／または他の追加フィールド1008を含むことができる。先取り指示のグループDCIは、実際の先取りイベントが発生する領域に基づいてPRを適合的に示してもよい。このように、事前設定された領域と比較して、先取りイベントの実際の位置に基づいてより正確な先取り情報が提供されることができるため、eMBB UEのパフォーマンスとスループットが向上する。一実施形態では、先取り指示のグループDCIは、事後指示であり得る、すなわち、この指示は、PIの監視機会の前に発生した先取りイベントに対処する。あるいは、先取りイベント中にグループDCIが送信され、PIは現在の先取りイベントに基づいてPRおよび／またはPRビットマップを適合的に示してもよい。PIのグループDCIの構造は、グループDCIのペイロード制約、またはサポートされる形式の数またはペイロードサイズの影響を受ける場合がある。
【００６０】
第1の例では、時間および／または周波数粒度の形式、すなわち、x×yビットマップが事前に構成されてもよく、ここで、xおよびyの値は半静的に構成される。分解能は、PIの一部として半静的に設定されるか、動的に更新される。例えば、ビットマップでN2ビットペイロードが使用されて、PR内の影響を受けた部分を示す。ビットマップは、示されたPRに対応する場合がある。固定ペイロードサイズのビットマップの場合、固定サイズまたは可変サイズのPRが示される場合がある。例えば、PR位置の通知にはN1ビット、ビットマップにはN2ビットが使用されてもよい。PRが大きな領域である場合、ビットマップの各ビットはより大きな部分に対応する可能性があり、したがって粒度が粗くなる。PRが小さい場合、ビットマップの各ビットはより小さな部分に対応する可能性があり、したがって粒度が細かくなる。PRの領域が更新されると、PIで示されるビットマップの各ビットの分解能は、それに応じて再構成される。一実施形態では、固定サイズPRが示される（ビットマップのビットの分解能が事前設定され、動的に変更されない場合）が、位置は変更できる、すなわち、時間および／または周波数の開始位置は変更でき（基準位置からシフトする）、フィールドAに示される。別の実施形態では、可変サイズPRが示されている。フィールドAは、開始位置と終了位置、開始位置と継続時間、または終了位置と継続時間を提供する。事前構成されたx×yビットマップは、示されたPRに対応する。つまり、PR領域は基準位置からシフトされることができるだけでなく、拡大または縮小することもできる。この例では、フィールドCは必要な場合と必要でない場合がある。
【００６１】
第2の例では、PR内の時間および／または周波数パーティションの数（すなわち、xおよびyの値）および粒度（すなわち、ビットマップの各ビットにより表されるリソースユニットの分解能または面積）は適合的であり得る。例えば、PRフィールドの通知にはN1ビット、ビットマップフィールドにはN2ビットが使用されてもよい。ビットマップのいくつかの構成または形式は半静的に通知され、1つの構成はPIの一部として動的に通知される場合がある。例えば、N2＝16ビットの場合、フィールドB 1004の1つの構成は8×2、フィールドB 1004の別の構成は4×4であってもよい。フィールドC 1006は、現在のPIに使用されるオプションを示してもよい。この例では、フィールドA 1002およびB 1004の個々のビット数は変わらない。表IIに示されるように、PRの通知にはフィールドA 1002で8ビットが使用され、ビットマップにはフィールドB 1004で12ビットが使用される。ビットマップの構成は、4×3、3×4、6×2、2×6、またはその他の構成のいずれかである。いくつかの構成は、フィールドBのビット数N2などのビットマップの特定のペイロードについてUEに通知されてもよい。使用中の現在のPIに使用される1つの構成がフィールドCに示される。次の表IIの例では、フィールドCにはビットマップの4つの構成を区別するための2ビットがあり、Cの各インデックス番号は4つの構成の1つに対応する。
【００６２】
【表２】
2020530960.tif 000004
【００６３】
あるいは、N1とN2の合計Nを固定したまま、フィールドAとBのビット数を可変にすることもできる。これにより、柔軟なPRおよびビットマップ指示のより動的なシナリオがサポートされる。例えば、PRのビット数が多くなるとビットマップのビット数が少なくなり、逆も同様である。N2ビットの特定の値は、構成されたビットマップを意味する場合があり、または、N2ビットの特定の値のいくつかの候補が構成されてもよく、1つの特定の構成されたビットマップがPIに示される場合がある。フィールドC 1006は、現在のPIに使用される構成を示してもよい。表IIIに示されるように、PRおよびビットマップフィールドの通知のために、フィールドA 1002およびフィールドB 1004でそれぞれ合計20ビットが使用される。N2ビットの特定の値に対していくつかの構成がサポートされる場合があり、例えば、ビットマップの構成は、N2＝16の場合は4×4、8×2のいずれか、N2＝12の場合は4×3、3×4、6×2、2×6のいずれか、N2＝10の場合は5×2、N2＝8の場合は4×2、またはその他の構成であってもよい。フィールドAおよびBは、構成可能で動的に適合されることができる。フィールドCに示されているインデックスは、N1ビットとN2ビットの特定の組み合わせ、およびPIの対応する構成を通知する。この例では、フィールドCは3ビットであるため、フィールドCは最大8つの組み合わせを示し、フィールドCのインデックス1はフィールドAのビット数が4、フィールドBのビット数が16、ビットマップ構成が4×4であることを示す。フィールドCのインデックス2は、フィールドAのビット数が4、フィールドBのビット数が16、ビットマップ構成が8×2であることを示す。
【００６４】
【表３】
2020530960.tif 000005
【００６５】
分解能も動的に示される場合があり、これによりフィールドCで使用されるビット数が増加する場合がある。表IVおよびVに示されるように、ビットマップの同じ構成に対して、フィールドC 1006によって異なる分解能が示される場合がある。一連の分解能｛m、n、．．．｝が事前に設定されることができ、PIで1つの分解能が示されることができる。表IVは表IIの拡張バージョンであり、ビットマップの各形式が分解能のセットに関連付けられていることが示されている。ここで、｛m、n、．．．｝の各々は、PR内のパーティションのリソースユニットの領域を表す。分解能は、時間粒度のみ、または時間周波数粒度または周波数粒度のみに対応してもよい。表Vは表IIIの拡張バージョンであり、分解能または粒度は、1つの構成インデックスの形式で動的に示される。
【００６６】
【表４】
2020530960.tif 000006
【００６７】
【表５】
2020530960.tif 000007
【００６８】
図11は、PRの適合通知の実施形態を示している。グループDCIのフィールドAにおけるPRの通知は、周波数領域のPRの帯域幅（BW）の開始位置および／または終了位置、および／または任意の他の基準位置（例えば、中心）を示す時間周波数領域指示、および／または周波数領域での周波数のサイズまたは範囲（例えば、RBG／サブバンド）を含んでもよい。さらに、グループDCIのフィールドAにおけるPRの通知は、PRの持続時間内の開始位置および／または終了位置および／または任意の他の基準位置（例えば、中心）を示す時間周波数領域指示、および／または時間領域での持続時間（例えば、スロット／シンボル／ミリ秒）を含んでもよい。時間および／または周波数におけるPRの位置は、基準点に関して示されてもよい。PRの2つの持続時間1102および1104について、ビットマップ構成が動的に示される。時間および周波数における開始位置とビットマップの分解能は異なるが、どちらの場合もビットマップに使用されるビットの数N2は同じ16である。図11から分かるように、PRの適合通知によって示される2つのPRの領域は異なり、16ビットの各ビットに対応する2つのPRの時間周波数領域の粒度も異なる。
【００６９】
グループDCIのフィールドAのN1ビットの構造は、異なる構成を含む場合がある。例えば、周波数位置（例えば、開始位置）および周波数の範囲が与えられてもよく、N1ビットを使用して開始位置および／または時間の持続時間を示すことができる。または、時間の開始位置および持続時間が与えられてもよく、N1ビットが使用されて位置（例えば、開始位置）および／または周波数の範囲を示すことができる。あるいは、N1ビットはN1fビットとN1tビットにさらに分割されてもよく、N1fビットとN1tビットはそれぞれ周波数および時間における開始位置を示す。上位層のシグナリングは、フィールドAのどの構成が使用されているか、つまりN1の特定の値に対するN1fとN1tの値がUEに通知されてもよい。N1ビットは、［N1fビットN1tビット］または［N1tビットN1fビット］として構築されることができる。つまり、時間指示の後に周波数指示がきてもよく、その逆でもよい。所定のN1ビットについて、グループDCIのフィールドCを使用して、いくつかの候補構成の1つが示されることができる。例えば、N1＝4ビットはN1f＝2およびN1t＝2またはN1f＝1およびN1t＝3などに分割されることができ、特定のペイロードN1の構成の1つは、例えばフィールドCを介してPIで示される。
【００７０】
通知のすべてのコンポーネントが動的に示されるわけではない。最初の例では、時間および／または周波数の開始位置は動的に通知され、周波数サイズおよび／または持続時間は半静的に示されるか、選択されたビットマップ構成などのPIのビットマップの構成から取得される。各ビットは、所定のビットマップ構成の時間周波数リソースユニットに対応する場合があり、例えば、ビットの分解能はUEに既知である。4つの周波数分割が半静的に設定または通知されている場合、周波数の範囲は、周波数の各時間周波数ユニットのサイズの4倍として取得されることができる。同様に、持続時間が取得されることができる。
【００７１】
第2の例では、周波数の開始位置および／または持続時間は半静的に通知され、周波数範囲および／または持続時間はUEに動的に示される。周波数範囲および／または持続時間の指示は、暗黙的または明示的である場合がある。周波数範囲または持続時間は、先取りイベントについて示されたビットマップとその構成、および／または分解能などの明示的なシグナリングに基づいて動的に取得されることができる。例えば、各ビットによってアドレス指定される周波数範囲または持続時間も動的に示される場合がある。
【００７２】
第3の例では、時間および／または周波数の開始位置ならびに周波数サイズおよび／または持続時間の両方が動的に示される。周波数範囲または持続時間は、開始位置に加えて示された終了位置または持続時間または時間／周波数の範囲、または先取りイベントについて示されたビットマップとその構成、および／または分解能などの明示的なシグナリングに基づいて動的に取得されることができる。例えば、各ビットによってアドレス指定される周波数範囲または持続時間も動的に示される場合がある。周波数範囲または持続時間の指示は、暗黙的または明示的である場合がある。PRの開始位置と終了位置の両方が示されている場合、示されたビットマップのビットの分解能の個別の通知は送信されない。その場合、分解能は、範囲／持続時間を、ビットマップ内の時間および／または周波数分割／パーティションの指示された数、すなわちxおよびyの値で除算することによって取得されることができる。
【００７３】
時間／周波数の開始位置は、所定のニューメロロジーに関して、周波数および時間のi個のRBGの粒度ならびにj個のシンボル／スロット／ミリ秒に基づいて示され得る。PIの潜在的な範囲内の周波数のM位置および／または時間のN位置などの一部の候補位置は半静的に構成されることができ、Log2Mおよび／またはLog2Nビットが使用されて、構成された位置における時間および／または周波数の開始位置を示すことができる。構成された位置は、基準点からのシフトまたはオフセットとして定義または取得されることができる。したがって、半静的に構成できるPIの潜在的な範囲内の基準点に関して、周波数のMの可能なシフトおよび／または時間のNの可能なシフトがある。
【００７４】
周波数の範囲と持続時間は連続的または非連続的であってもよい。周波数の範囲または持続時間が連続している場合、範囲／持続時間（L）の可能な値は上位層によって構成されてもよく、それらの1つはLog2Lビットなどによって示されてもよい。周波数の範囲または持続時間が非連続である可能性があり、それが動的である場合、PRを通知するためのビットマップが使用されることができる。未使用領域が半静的に構成されている場合、PRのビットマップ指示は不要であり、範囲／持続時間の指示で十分な場合がある。UEは、未使用／予約済み／不明なリソースの半静的通知に基づいて、PR内の有効領域を識別する、つまり、未使用リソースがPRの範囲内にある場合でも、UEは、PIのビットマップが実際に先取りされ得る領域に対応しているだけだと想定する場合がある。場合によっては、単一のPIが非重複周波数範囲に対応する場合がある。
【００７５】
図12は、不連続PRの一実施形態を示している。示されたPRは、例えば、キャリア内の帯域幅間部分のスケジューリングによって、時間および／または周波数において不連続であり得る。UEのセットは、非連続BWP1 1202およびBWP2 1204でスケジュールされ得る。BWP1 1202とBWP2 1204との間のニューメロロジーkを伴う帯域幅1206は、UEにとって未知であるか、予約されている場合がある。BWP1 1202およびBWP2 1204は、それぞれニューメロロジーiおよびjを有し、ニューメロロジーi、j、およびkは同じであっても異なっていてもよい。この例では、PIの検索スペースはBWP 1またはBWP 2とすることができる。PIのビットマップは、BWP 1および2のPRの部分に対応している。一実施形態では、f1およびf2は、表IのBWP1のPRの一部に対応してもよく、f3およびf4は、BWP2に対応してもよい。
【００７６】
図はグループ共通PIについて示されているが、UE固有のPIにも同じ実施形態が適用されることができる。例えば、UEの事前設定／デフォルトPRは、DL許可で割り当てられた時間周波数リソースであり、UEは、UEの割り当てられたリソースと重複する先取りイベントの実際の位置に基づいてPIが動的にPRを更新できるようにスケジュールされた後にPIを受信してもよい。
【００７７】
図13は、グループ共通DCI（GC DCI）の構造の実施形態を示している。上位層によっていくつかのタイプ／形式が構成されることができ、1つはGC DCIで動的に示されることができる。図13に示されるように、GC DCIは、タイプフィールド、ペイロードフィールド、および／または無線ネットワーク一時識別子（RNTI）フィールドを備えてもよい。GC DCIの内容は構成可能である。同じDCIが使用されて、1つ以上のタイプの制御情報を提供できる。例えば、GC DCIがPI専用である場合、第1のタイプのペイロードは、すべてのUEによって読み取られる共通フィールドを有する。共通フィールドは、構成済み領域の先取り情報のビットマップを提供するか、先取り情報の領域とビットマップの両方が動的な方法で一緒に伝達される。第2のタイプのペイロードは、GC DCI内にいくつかのUE固有フィールドを備えてもよく、ペイロードはN個のUE固有フィールドに分割されてもよい。N個のUE固有フィールドの各々は、UEの伝送特性またはパラメータ（例えば、伝送持続時間、TBサイズ、BW部分サイズ、DL許可で割り当てられたRBなど）によって構成可能であってもよい。第3のタイプのペイロードは、第1および第2のタイプの組み合わせであり得る、すなわち、ペイロードは2つの部分に分割される。第1の部分は、第1のUEグループの共通情報フィールドを含み、第2の部分は、第2のUEグループのUE固有フィールドに分割される。
【００７８】
あるいは、GC DCIはPIのみではなく、複数のタイプの制御情報を組み合わせることができる。このカテゴリの下のペイロードの第1のタイプはPIのみを提供してもよく、第2のタイプのペイロードはPIおよび別のタイプの制御情報を提供してもよく、第3のタイプのペイロードは1つ以上の他のタイプの制御情報を提供してもよい。
【００７９】
グループDCIは、各UEの送信のパラメータによって各フィールドの内容を調整するUE固有のフィールドを有する。例えば、第1のUEはカバレッジを大きくする必要があり、長い間隔でスケジュールされることがあるが、第2のUEは周波数の大きなリソースを占有することなく短い持続時間でスケジュールされることがある。別の例として、再送信は最初の送信よりも短い持続時間を占有する場合がある。したがって、PIの1つのサイズに合わせた粒度はすべてのUEにとって有益ではない可能性があり、その結果、1つのサイズに合わせた粒度のPIによってUEのパフォーマンスが影響を受ける可能性がある。
【００８０】
グループDCIのペイロードサイズが固定されている場合、ペイロードの構造は構成可能である。例えば、ペイロードはUE固有ではない場合があるが、先取り指示を監視するUEのグループに共通する場合がある。あるいは、ペイロードはUE固有フィールドに分割され、各UE固有フィールドはさらに構成可能である。例えば、各UEフィールドはNビットを有してもよく、一方、構成された時間および／または周波数の粒度は、異なるUEに対して同じまたは異なってもよい。PRおよび／またはビットマップ構成の動的指示および／またはビットマップ内のビットの粒度／分解能は、各UEに対して個別に適合されることができる。または、あるUE固有フィールドのビット数が別のUE固有フィールドと異なる場合がある。場合によっては、PIの一部のコンテンツが共通であり得るのに対して、一部のコンテンツはUE固有であり得る。例えば、ビットマップ構成はUEに共通し得るが、PRおよびビットマップ情報は異なり得る。
【００８１】
ペイロードのサイズはさまざまであるか、構成可能である。さまざまな形式がサポートされていてもよい。UEは、DCI、システム情報ブロック（SIB）、RRC、またはGC DCIの（再）構成されたペイロードサイズと構成のメディアアクセス制御要素（MAC CE）、および監視またはデコードするためにUEがどのタイプのGC DCIで構成されるか、のいずれかによって通知されてもよい。ペイロードは、UE固有フィールドおよび／または共通フィールドに分割されることができる。
【００８２】
上記で説明したように、ペイロードサイズは固定または構成可能でアリ、GC DCIはそのような情報の1つ以上のタイプを提供できる。GC DCIは、先取り情報のみ、または先取り情報に加えて他の一般的な情報を提供できる。ペイロードのコンテンツは構成可能であり、例えば、GC DCIがPIのみを搬送する場合や、GC DCIが他のタイプの情報を提供する場合、または両方を提供する場合がある。UEは、GC DCIの構造と構成、および／または一定期間アクティブな構成に関して事前構成されている場合がある。DCI（UE固有／グループベース）は、グループDCIの特定の構成をアクティブにすることもできる。
【００８３】
PIを搬送するGC DCIの検索スペースは、他のGCまたはUE固有のDCIまたはPDCCHと共有される場合とされない場合がある。場合によっては、PIのGC DCIがUE固有の検索スペースで送信されてもよい。例えば、UE BWPに共通の検索スペースが構成されておらず、受信するUE固有のPDCCHがない場合、eNBはUE固有の検索スペースを使用してPIのGC DCIを送信できる。これは、あらゆるタイプのGC DCIに適用できる。
【００８４】
PIの送信には、複数のDCI形式が使用されることができる。UEにPIの半静的設定を通知することができ、1つのDCI形式で設定を更新できる。例えば、DCI形式1が使用されて、事前設定されたPRの先取り情報のビットマップを送信できる。DCI形式2は、ビットマップとともにPRの適合通知に使用されることができる。DCI形式2は、受信されると、PRおよび／またはビットマップ構成の事前構成を上書きしてもよい。DCI形式1と2は、同じペイロードを持つことも異なるペイロードを持つこともある。DCI形式1および／または2は、他のタイプの制御情報も含み得る。UEは、両方または1つをサポートするように、あるいは何もサポートしないように構成されることができる。
【００８５】
共存領域または先取り領域（PR）は、URLLC伝送の重複によりeMBB伝送が先取りされる時間周波数領域として定義される。PDCCH指示のGC DCIは、PRの先取り情報を搬送するNビットを含む場合がある。PDCCHの異なるGC DCIは、異なるPRに対応する場合がある。PDCCH内の複数のGC DCIは、重複または非重複PRに対応する同じまたは異なる瞬間に送信される場合がある。eMBB UEは、UEのための送信がPRの一部と重複する方法に応じて、PDCCH内の1つ以上のGC DCIを監視できる。複数のPRは、周波数および／または時間において連続的または非連続的であってもよい。
【００８６】
特定の時間に、1つ以上のアクティブなPRが存在する場合がある。UE伝送はPR内に含まれるか、複数のPRにまたがることがあり、PRは同じまたは異なるニューメロロジーのものである場合がある。あるいは、特定のPRが時間および／または周波数で複数の部分にセグメント化され、GC PIが各部分に送信されることができる。PRの設定は、RRCまたはDCIのいずれかによってUE固有またはセル固有のシグナリングによって通知されてもよい。
【００８７】
PRは、UE固有のDCIまたはGC DCIなどのDCIによってアクティブ化または非アクティブ化されることができる。あるいは、RRC構成の受信は、アクティブ化されたPRを意味する場合がある。PIニューメロロジーは、PRで使用されるニューメロロジーと同じ場合も異なる場合もある。例えば、周波数分割多重化（FDM）および／または時分割多重化（TDM）方式で、複数のニューメロロジーがPR内に共存してもよい。PIの時間および／または周波数の粒度は、特定のニューメロロジーによってもよい。
【００８８】
図14は、PRの適合通知構造の別の実施形態を示している。図14に示されるように、各GC DCI A 1410、1412、1414はそれぞれPRA 1402、1404、1406に対応し、GC DCI B 1416はPRB 1408に対応する。GC DCIペイロードは固定、例えばNビットであり、時間および／または周波数におけるPRのサイズは異なる値で設定されてもよい。図から分かるように、PRA 1402のサイズはPRA 1406のサイズとは異なり、PRA 1402または1404のサイズはPRB 1408のサイズと同じであり、時間周波数領域PRA 1402の分割の粒度は、時間周波数領域PRB 1408の分割の粒度とは異なる。つまり、PRの領域（例えば、PRA）と、PRのPIにおける先取り情報の通知の粒度が更新または（再）構成されることができる。UEは、RRCシグナリングまたはDCIによってPRの再構成を通知される。PRAのPIのGC DCIは、TA、PRの持続時間後に監視されることができ、TA、PRはRRCシグナリングによってUEに通知されることができる。持続時間TA、PRは、異なる値で構成可能である。
【００８９】
PIのGC DCIは、対応するPRの内部または外部で監視でき、例えば、PIのGC DCIの検索スペースは、PR内で構成される場合と構成されない場合がある。GC DCIを監視しているUEは、その検索スペースを半静的に、例えばRRCシグナリングを介して通知されてもよい。この例では、GC DCI A 1410、1412、1414の9ビットの各ビットは、PRA 1402、1404、1406の3×3のリソースグリッドのブロックに対応し、構成可能なリソースユニットを示す、すなわちユニットサイズは可変であってもよく、GC DCI B 1416の6ビットの各ビットは、PRB 1408の3×2のリソースグリッドのブロックに対応し、構成可能なリソースユニットを示している。GC DCI A 1410、1412、1414の範囲は（再）構成されることができる。PRの領域は、PIの粒度の定義を再構成した結果、例えば、各ビットが時間周波数ユニットサイズに関して参照するものの結果として変化する場合があるが、リソースユニットの総数は同じままである。PIを監視するためのPRと検索スペースとの間の持続時間／間隔（例えば、TA，Gap、TB，Gap）は、構成可能であるか、動的に更新可能である。
【００９０】
図15は、共通の先取り情報を用いてGC DCIを監視するときのUE挙動の実施形態を示している。図15に示されるように、各UEは、制御リソースセット（CORESET）内のPDCCH内のGC−DCIの形で送信されたPIを監視する周期性について通知され得る。CORESET内のPIを監視するための周期性の通知は、UE固有またはグループ固有（例えば、セル固有）のRRCシグナリングまたはシステム情報などのRRCシグナリングによって搬送される。
【００９１】
CORESETのグループ共通指示は、特定のニューメロロジーのKスロット／シンボルごとに受信されるように構成されることができる。Kの値は構成可能であり、ニューメロロジーごとに異なり得る。例えば、グループ共通PDCCHがKスロット／シンボルごとに送信される場合、それは、指示を含む位置の上または前に現れたシンボル／スロットのグループを介した先取り／影響を受ける送信領域に関連する指示を含む場合がある。
【００９２】
一例では、PIを監視するようにXミリ秒の1つの監視周期が設定されることができ、Xミリ秒はすべてのニューメロロジーで共通である。同じまたは異なるCPオーバーヘッド／タイプについて、Xミリ秒は、f0＝3．75kHzの場合はL＞＝1スロット、f＝2N＊f0 kHzの場合は2N＊Lスロットで構成される。あるいは、同じCPオーバーヘッド／タイプについて、Xミリ秒は、f0＝3．75kHzの場合はL＞＝1シンボル、f＝2N＊f0 kHzの場合は2N＊Lスロットで構成される。したがって、＃個のスロット／シンボルの監視間隔は、ニューメロロジー全体で拡張可能である。特定のTBSでは、eMBB伝送は15kHzで1つのスロットを使用する場合があるが、より大きなサブキャリア間隔で集約スロットを含む場合がある。UEがニューメロロジーを切り替えた場合でも、共通の監視間隔（ミリ秒）が維持されることができる。一例では、CORESETのPI監視周期は、すべてのニューメロロジーで、ミリ秒単位で同じであり、1スロット、2スロット、および4スロットでそれぞれ15kHz、30kHz、および60kHzである。別の例では、CORESETのPIの監視周期はMスロットにすることができ、Mの値はニューメロロジーに依存し、構成可能である。同じまたは異なるCPタイプ／オーバーヘッドについて、Mは、f0＝3．75kHzの場合はL＞＝1スロット、f＝2N＊f0 kHzの場合はM＝2N＊Lスロットとすることができる。あるいは、CORESETのPIの監視周期はMシンボルにすることができ、Mの値はニューメロロジーに依存し、構成可能である。同じCPタイプ／オーバーヘッドについて、Mは、f0＝3．75kHzの場合はL＞＝1シンボル、f＝2N＊f0 KHzの場合はM＝2N＊Lシンボルとすることができる。f0の他の値も可能である。
【００９３】
別の例では、特定のニューメロロジーの異なるCPタイプについて、スロット／シンボルの同じまたは異なる監視周期が設定されることができる。
【００９４】
別の例では、先取り指示の時間および／または周波数の粒度は、ニューメロロジー全体にわたってスケーラブルであり得る。例えば、Lシンボルが特定のCPタイプのf0の時間粒度として構成されている場合、2N＊Lシンボルは、サブキャリア間隔2N＊f0の時間粒度になり得る。RBGまたはHzの点で同様のスケーラブルな関係は、周波数領域でも同様に可能である。
【００９５】
UEがスケジュールされた後、UEは次の機会からGC−PDCCHの監視を開始することができ、例えば、UE1は、スケジュールされた後にGC−PDCCH1504で送信される次のPIの監視を開始する。UEがスケジュールされた後、UEはx個の監視機会をスキップすることができ、例えば、UE2はPIまたはGC−PDCCH1504の監視機会を1回スキップし、PIまたはGC−PDCCH1506からGC−PDCCHの監視を開始する。UEは、DL許可を受信したyシンボル／usの範囲内にある場合、監視の機会をスキップできる。yシンボル内では、eNBはその持続時間中に重複しないリソースでeMBBおよびURLLC伝送をスケジュールすることで先取りを回避できるため、先取りは存在しない。
【００９６】
UEは、一定期間監視をスキップすることができ、例えば、UE 2はGC−PDCCH 1510および1512の監視をスキップする。例えば、UEを監視しないように構成するか、PIを、UEを構成するのに使用していないニューメロロジーで送信するか、PIのCORESETを一定期間UEのBW部分の外部の位置に置くことができる。あるいは、PIにUE固有のフィールドがあり、UEが影響を受けるデータ伝送の最後または後に監視するように構成されている場合、UEは影響を受けるデータ伝送の持続時間内にある一部の監視機会をスキップすることもできる。
【００９７】
CORESET内のUE固有のPDCCHとCORESET内のPDCCH内のGC−DCIの監視周期は、同じでも異なっていてもよい。UE−PDCCHとPDCCH内のGC−DCIの監視周期が同じか異なるかは、先取りインジケータの内容にUE固有のフィールドがあるかに依存してもしなくてもよい。
【００９８】
UE−PDCCHの周期は、PDCCH内のGC−DCIの監視周期がURLLC粒度のグループ（例えば、シンボルレベル）にある場合、PDCCH内のGC−DCIの周期よりも大きくてもよく、またはeMBB UEに対して設定または示されるスケジューリング間隔の長さよりも短くてもよい。UE−PDCCHの周期は、PDCCH持続時間内のGC−DCIがスロット境界の1つまたはグループにある場合、PDCCH内のGC−DCIの周期以下であってもよい。したがって、UE−PDCCHおよびGC−PDCCHの監視機会は整合する場合としない場合があり、データ伝送持続時間は複数のUE−PDCCHおよび／またはGC−PDCCH監視機会に及ぶ場合がある。
【００９９】
CORESET監視周期のセットに応じて、UEのグループが形成されることができる。例えば、第1のPIは、UE PDCCHの監視周期が短いUEのグループに対して構成され、第2のPIは、UE PDCCHの監視周期が長いUEのグループに対して構成される。
【０１００】
図16は、共通の先取り情報を用いてGC DCIを監視するときのUE挙動の別の実施形態を示している。図16に示されるように、UE 2 BWP 1614などのUE BW能力がセル／キャリアBW 1624よりも小さい場合、1つ以上の構成可能な時間周波数領域が使用されて、GC DCI 1602〜1612などのグループ共通シグナリングを送信することができる。この例では、2つの周波数領域が使用されてGC DCI 1602〜1612を送信する。GC DCIを含む共通PDCCHが複数のUEをターゲットとして送信される場合、GC DCIを監視するように構成されたUEの少なくとも1つのBWPが、少なくとも1つの共通検索スペース領域と重複する場合がある。例えば、UE 2 BWP 1614およびUE1 BWP 1616の両方は、GC DCI 1602〜1606が送信される帯域幅と重複し、UE3 BWP 1618は、GC DCI 1608〜1612が送信される帯域幅と重複する。
【０１０１】
ただし、UE4は、先取り送信イベント1628を観測したBWP 1630とは異なるBWPであるUE4 BWP2 1622で、PIのGC DCIを監視してもよい。
【０１０２】
UEは複数のBWPで構成されることができるが、すべてのBWPが共通の検索スペースを含むとは限らない。UEは、事前設定された周期で共通検索スペースを含むBWPに再調整／切り替える。例えば、PIのGC DCIの監視間隔／周期が5 TTIである場合、UEは5 TTIごとにPI IのGC DCIを含むBWPに切り替えることができる。
【０１０３】
UEは、BWP切り替えのパターンで構成されてもよく、例えば、UEは、第1の持続時間で第1のBWPを使用し、次に第2の持続時間で第2のBWPに切り替える。第2のBWPは共通の検索スペースを有してもよく、PIは第2のBWPで監視される。ただし、BWP1およびBWP2の両方は先取りされ得る。切り替え／再調整時間は、UEの機能に応じた第3の持続時間であり、UEは切り替え時間中に伝送を受信しない場合がある。
【０１０４】
UEは、1つ以上の帯域幅部分で構成されることができる。DLおよびUL帯域幅部分は、個別に構成される。UEが高い信頼性要件を有する伝送を受信または送信している場合、UEは、トランスポートブロックの伝送のために、ある帯域幅部分から別の帯域幅部分に切り替えるための時間パターンまたはホッピングパターンで構成されることができる。例えば、DL通信では、UEは、TBに対してK回の繰り返しで（動的または半永続的のいずれかで）スケジュールされてもよい。UEがTBの異なる伝送／繰り返しを組み合わせたときに周波数ダイバーシティが実現されることができるように、異なる帯域幅部分で繰り返しを行うことができる。別の例では、DL通信の場合、eNBは、異なる帯域幅部分での初期伝送に続いて、TBの後続の伝送を送信してもよい。UEは、連続するPDCCH／CORESET監視の機会に異なる帯域幅部分に切り替えることができ、これは、CORESET／PDCCH監視間隔の機能によって実現されることができ、切り替えパターンはUEに半静的または動的に示されることができる。一実施形態では、UEは、3つのDL帯域幅部分B1、B2、B3で構成される。単一の帯域幅部分が1つの時点でアクティブである場合、B1、B2、B3がそれぞれ重複しない持続時間t1、t2、t3でアクティブになるように、時間パターンが示されることができる。B1→B2→B3→B1→B2→B3など、帯域幅部分のアクティブ化のさまざまなシーケンスが可能である。UEがBiにある場合、i＝｛1，2，3｝であり、UEはBiのCORESETを監視する。
【０１０５】
同様に、UL通信の場合、許可付きまたは許可なしの伝送では、TBの後続の伝送のために、ある帯域幅部分から別の帯域幅部分に切り替える／ホップするようにUEが構成されることができる。UL帯域幅部分および／またはホッピングパターンの構成は、半静的または動的にUEに示され得る。上記の実施形態と同様に、UEは、3つのUL帯域幅部分B1、B2、B3で構成される。単一の帯域幅部分が1つの時点でアクティブである場合、B1、B2、B3がそれぞれ重複しない持続時間t1、t2、t3でアクティブになるように、時間パターンが示されることができる。B1→B2→B3→B1→B2→B3など、帯域幅部分のアクティブ化のさまざまなシーケンスが可能である。一例では、t1＝t2＝t3は各伝送の持続時間である。UEが許可なしのUL伝送に対してK回の繰り返しで構成される場合、UEは後続の繰り返しのために帯域幅部分を切り替えるように構成されてもよい。UEが、B2がアクティブなときに到着したパケットを有する場合、UEはその帯域幅部分で伝送し、次に上記シーケンスのTBの次の繰り返しのためにB3に切り替える。
【０１０６】
一部の実施形態では、許可なしで伝送しているUEのUL帯域幅部分構成は、TBS／MCS、RS、電力制御パラメータ、繰り返し数、サポートされているHARQプロセスの数など、許可なしのUL伝送の伝送パラメータも含むことができる。異なるBWPのアクティブ化は、許可なしのUL伝送用に異なって設定されたパラメータを示す場合がある。UE固有またはGC DCIによってBWPのアクティブ化および／またはホッピングパターンが取得されることができ、またはRRC構成はアクティブ化を意味する場合がある。
【０１０７】
UE用に構成された帯域幅部分は、同時に複数のニューメロロジー、異なる時間に異なるニューメロロジーで送受信するために使用されることができる。
【０１０８】
図17は、ホスト装置に実装されることができる、本明細書に記載の方法を実行するための実施形態の処理システム1700のブロック図を示している。図示のように、処理システム1700は、プロセッサ1704、メモリ1706と、インタフェース1710〜1714とを含み、これらは図17に示されるように配置されてもよい（または配置されなくてもよい）。プロセッサ1704は、計算および／または他の処理関連タスクを実行するように構成された構成要素または構成要素の集合であってもよく、メモリ1706は、プロセッサ1704が実行するためのプログラミングおよび／または命令を格納するように構成された構成要素または構成要素の集合であってもよい。一実施形態では、メモリ1706は、非一時的なコンピュータ可読媒体を含む。インタフェース1710、1712、1714は、処理システム1700が他の装置／構成要素および／またはユーザと通信することを可能にする任意の構成要素または構成要素の集合であってもよい。例えば、インタフェース1710、1712、1714のうちの1つ以上は、データ、制御、または管理メッセージをプロセッサ1704からホスト装置および／またはリモート装置にインストールされたアプリケーションに通信するように構成されてもよい。別の例として、インタフェース1710、1712、1714のうちの1つ以上は、ユーザまたはユーザ装置（例えば、パーソナルコンピュータ（PC）など）が処理システム1700と対話／通信することを可能にするように構成されてもよい。処理システム1700は、長期記憶（例えば、不揮発性メモリなど）のような、図17に示していない追加の構成要素を含むことができる。
【０１０９】
一部の実施形態では、処理システム1700は、電気通信ネットワークにアクセスしている、または電気通信ネットワークの一部であるネットワークデバイスに含まれる。一例では、処理システム1700は、基地局、中継局、スケジューラ、コントローラ、ゲートウェイ、ルータ、アプリケーションサーバ、または電気通信ネットワーク内の他のデバイスなどの無線または有線通信ネットワークのネットワーク側デバイス内にある。他の実施形態では、処理システム1700は、移動局、ユーザ機器（UE）、パーソナルコンピュータ（PC）、タブレット、ウェアラブル通信デバイス（例えば、スマートウォッチなど）、または電気通信ネットワークにアクセスするように適合された他のデバイスなどの無線または有線通信ネットワークにアクセスするユーザ側デバイス内にある。
【０１１０】
一部の実施形態では、インタフェース1710、1712、1714のうちの1つ以上は、処理システム1700を、通信ネットワークを介してシグナリングを送信および受信するように適合されたトランシーバに接続する。図18は、通信ネットワークを介してシグナリングを送信および受信するように適合されたトランシーバ1800のブロック図を示している。トランシーバ1800は、ホストデバイスにインストールされてもよい。示されるように、トランシーバ1800は、ネットワーク側インタフェース1802、カプラ1804、送信器1806、受信器1808、信号プロセッサ1810、およびデバイス側インタフェース1812を備える。ネットワーク側インタフェース1802は、無線または有線通信ネットワークを介してシグナリングを送信または受信するように適した任意のコンポーネントまたはコンポーネントの集合を含むことができる。カプラ1804は、ネットワーク側インタフェース1802を介した双方向通信を促進するように適合された任意のコンポーネントまたはコンポーネントの集合を含むことができる。送信器1806は、ベースバンド信号を、ネットワーク側インタフェース1802を介した送信に適した変調キャリア信号に変換するように適合された任意のコンポーネントまたはコンポーネントの集合（例えば、アップコンバータ、電力増幅器など）を含むことができる。受信器1808は、ネットワーク側インタフェース1802を介して受信されたキャリア信号をベースバンド信号に変換するように適合された任意のコンポーネントまたはコンポーネントの集合（例えば、ダウンコンバータ、低雑音増幅器など）を含むことができる。信号プロセッサ1810は、ベースバンド信号を、デバイス側インタフェース1812を介した通信に適したデータ信号に変換する、またはその逆を行うように適合された任意のコンポーネントまたはコンポーネントの集合を含むことができる。デバイス側インタフェース1812は、信号プロセッサ1810とホストデバイス内のコンポーネント（例えば、処理システム1700、ローカル領域ネットワーク（LAN）ポート等）との間でデータ信号を通信するのに適合された任意のコンポーネントまたはコンポーネントの集合を含むことができる。
【０１１１】
トランシーバ1800は、任意のタイプの通信媒体を介してシグナリングを送信および受信してもよい。一部の実施形態では、トランシーバ1800は、無線媒体を介してシグナリングを送信および受信する。例えば、トランシーバ1800は、セルラプロトコル（例えば、ロングタームエボリューション（LTE）など）、無線ローカル領域ネットワーク（WLAN）プロトコル（例えば、Wi−Fiなど）、またはその他の種類のワイヤレスプロトコル（例えば、Bluetooth（登録商標）、近距離無線通信（NFC）など）などの無線通信プロトコルによって通信するように適合された無線トランシーバであってもよい。そのような実施形態では、ネットワーク側インタフェース1802は、1つ以上のアンテナ／放射要素を備える。例えば、ネットワーク側インタフェース1802は、単一アンテナ、複数の個別アンテナ、またはマルチレイヤ通信用に構成されたマルチアンテナアレイ、例えば、単一入力複数出力（SIMO）、複数入力単一出力（MISO）、複数入力複数出力（MIMO）などを含んでもよい。他の実施形態では、トランシーバ1800は、有線媒体、例えば、ツイストペアケーブル、同軸ケーブル、光ファイバなどを介してシグナリングを送信および受信する。特定の処理システムおよび／またはトランシーバは、示されているすべてのコンポーネント、またはコンポーネントのサブセットのみを利用でき、統合レベルはデバイスごとに異なってもよい。
【０１１２】
本明細書で提供される実施形態の方法の1つ以上のステップは、対応するユニットまたはモジュールによって実行され得ることを理解されたい。例えば、信号は、送信ユニットまたは送信モジュールによって送信され得る。信号は、受信ユニットまたは受信モジュールによって受信され得る。信号は、処理ユニットまたは処理モジュールによって処理され得る。それぞれのユニット／モジュールは、ハードウェア、ソフトウェア、またはそれらの組み合わせであってもよい。例えば、1つ以上のユニット／モジュールは、フィールドプログラマブルゲートアレイ（FPGA）または特定用途向け集積回路（ASIC）などの集積回路であってもよい。
【０１１３】
図19は、UEによって実行され得るような、無線通信のための実施形態の方法1900のフローチャートである。動作1902で、UEは、第1のリソースを介して第1の信号を基地局から受信し得る。第1のリソースは、ダウンリンク伝送を搬送するために割り当てられ得る。動作1904で、UEは、基地局から第1のダウンリンク制御指示（DCI）メッセージを受信し得る。第1のDCIメッセージは、時間周波数領域の異なる部分に関連付けられたビットを含むビットマップを備えてもよい。ビットマップのビットの各々は、時間周波数領域の対応する部分にUEのためのダウンリンク伝送が存在するかどうかを示してもよい。ビットマップ内のビットの各々は、追加的または代替的に、時間周波数領域の対応する部分に別のUEのための先取りダウンリンク伝送が存在するかどうかを示してもよい。ビットマップのビットは、異なる時分割に対応する時分割ビットグループのシーケンスを含んでもよい。時分割ビットグループの各々は、1つ以上のビットを含んでもよい。時分割ビットグループの各々の1つ以上のビットは、1つ以上の周波数分割に対応してもよく、時分割ビットグループの各々の1つ以上のビットは、同じ時分割に対応してもよい。
【０１１４】
一実施形態では、ビットマップに含まれるビットは連続ビットであってもよく、時分割ビットグループの各々は2つ以上の連続ビットを含んでもよい。「連続」という言葉は、不断の連続または順序で続くことを意味する（つまり、介在するデータはない）。ここで、ビットマップ内の連続ビットは、ビットマップ内のビットが途切れずに続くことを意味する。したがって、ビットマップの2つの連続ビット間に介在するデータはない。また、時分割グループ内の2つ以上の連続ビットは、同じ時分割グループ内のビットが途切れずに続くことを意味する。したがって、同じ時分割内の2つの連続ビット間に介在するデータはない。
【０１１５】
一実施形態では、時分割ビットグループの各々は、第1のビットおよび第2のビットを含むことができる。第1のビットは同じ最初の周波数分割に対応し、第2のビットは同じ最後の周波数分割に対応することができる。
【０１１６】
一実施形態では、UEは、第1のDCIメッセージを受信する前に、基地局から第1の無線リソース制御（RRC）メッセージを受信し得る。第1のRRCメッセージは、DCIメッセージのペイロードサイズを示し得る。第1のRRCメッセージは、時間周波数領域と、時間および周波数分割それぞれの粒度も示し得る。
【０１１７】
図20は、基地局（BS）によって実行され得るような、無線通信のための実施形態の方法2000のフローチャートである。動作2002で、BSは、第1のリソースを介して第1の信号をUEに送信し得る。第1のリソースは、ダウンリンク伝送を搬送するために割り当てられ得る。動作2004で、BSは、第1のダウンリンク制御指示（DCI）メッセージを送信し得る。第1のDCIメッセージは、時間周波数領域の異なる部分に関連付けられたビットを含むビットマップを備えてもよい。ビットマップのビットの各々は、時間周波数領域の対応する部分にUEのためのダウンリンク伝送が存在するかどうかを示してもよい。ビットマップ内のビットの各々は、追加的または代替的に、時間周波数領域の対応する部分に別のUEのための先取りダウンリンク伝送が存在するかどうかを示してもよい。ビットマップのビットは、異なる時分割に対応する時分割ビットグループのシーケンスを含んでもよい。時分割ビットグループの各々は、1つ以上のビットを含んでもよい。時分割ビットグループの各々の1つ以上のビットは、1つ以上の周波数分割に対応してもよく、時分割ビットグループの各々の1つ以上のビットは、同じ時分割に対応してもよい。
【０１１８】
一実施形態では、ビットマップに含まれるビットは連続ビットであってもよく、時分割ビットグループの各々は2つ以上の連続ビットを含んでもよい。「連続」という言葉は、不断の連続または順序で続くことを意味する（つまり、介在するデータはない）。ここで、ビットマップ内の連続ビットは、ビットマップ内のビットが途切れずに続くことを意味する。したがって、ビットマップの2つの連続ビット間に介在するデータはない。また、時分割グループ内の2つ以上の連続ビットは、同じ時分割グループ内のビットが途切れずに続くことを意味する。したがって、同じ時分割内の2つの連続ビット間に介在するデータはない。
【０１１９】
一実施形態では、時分割ビットグループの各々は、第1のビットおよび第2のビットを含むことができる。第1のビットは同じ最初の周波数分割に対応し、第2のビットは同じ最後の周波数分割に対応することができる。
【０１２０】
一実施形態では、BSが第1のDCIメッセージをUEに送信する前に、BSは第1の無線リソース制御（RRC）メッセージをUEに送信し得る。第1のRRCメッセージは、DCIメッセージのペイロードサイズを示し得る。第1のRRCメッセージは、時間周波数領域と、時間および周波数分割各々の粒度も示し得る。
【０１２１】
本開示の実施形態は、技術的問題に対する技術的解決策を提供する。低レイテンシデータは、本質的にバースト性または散発性であり、短いパケットで送信される場合がある。したがって、従来のシステムで低レイテンシデータ専用のリソースを確保するのは非効率的かもしれない。レイテンシトレラントトラフィックのリソース割り当てが時間および周波数領域の低レイテンシトラフィックのリソース割り当てと重複する共存領域を定義すると、ネットワーク機能が向上する。具体的には、ビットマップを使用して、共存領域に先取りダウンリンク伝送が存在するかどうかを示すことにより、従来のシステム全体でネットワークリソースを効率的に利用するための柔軟な手法が提供される。
【０１２２】
実施例1．無線通信のための方法であって、ユーザ機器（UE）によって基地局（BS）から、ダウンリンク伝送を搬送するために割り当てられた第1のリソースを介して第1の信号を受信するステップと、UEによってBSから、第1のダウンリンク制御指示（DCI）メッセージを受信するステップであって、第1のDCIメッセージは時間周波数領域の異なる部分に関連付けられたビットを含むビットマップを含み、ビットマップのビットの各々はUEのためのダウンリンク伝送が時間周波数領域の対応する部分に存在するかどうかを示し、ビットマップのビットは、異なる時分割に対応する時分割ビットグループのシーケンスを含み、時分割ビットグループの各々は1つ以上のビットを含み、時分割ビットグループの各々の1つ以上のビットは1つ以上の周波数分割に対応し、時分割ビットグループの各々の1つ以上のビットは同じ時分割に対応する、ステップとを含む、方法。
【０１２３】
実施例2．ビットマップに含まれるビットは連続ビットであり、時分割ビットグループの各々は2つ以上の連続ビットを含む、実施例1の方法。
【０１２４】
実施例3．時分割ビットグループの各々は、第1のビットおよび第2のビットを含み、第1のビットは最初の周波数分割に対応し、第2のビットは最後の周波数分割に対応する、上記の実施例のいずれかの方法。
【０１２５】
実施例4．時分割ビットグループの各々の第1のビットは同じ最初の周波数分割に対応し、時分割ビットグループの各々の第2のビットは同じ最後の周波数分割に対応する、実施例3の方法。
【０１２６】
実施例5．UEによってBSから、DCIメッセージのペイロードサイズを示す第1の無線リソース制御（RRC）メッセージを受信するステップをさらに含む、上記の実施例のいずれかの方法。
【０１２７】
実施例6．第1のRRCメッセージは時間周波数領域をさらに示す、実施例5の方法。
【０１２８】
実施例7．第1のRRCメッセージは時間および周波数分割それぞれの粒度をさらに示す、実施例5の方法。
【０１２９】
実施例8．ビットマップのビットの各々は、時間周波数領域の対応する部分に別のUEのための先取りダウンリンク伝送が存在するかどうかを示す、上記の実施例のいずれかの方法。
【０１３０】
実施例9．無線通信用に設定されたユーザ機器（UE）であって、UEは、命令を含む非一時的なメモリストレージと、メモリと通信する1つ以上のプロセッサであって、1つ以上のプロセッサは命令を実行して、基地局（BS）から、ダウンリンク伝送を搬送するために割り当てられた第1のリソースを介して第1の信号を受信し、BSから第1のダウンリンク制御指示（DCI）メッセージを受信する、1つ以上のプロセッサとを含み、第1のDCIメッセージは時間周波数領域の異なる部分に関連付けられたビットを含むビットマップを含み、ビットマップのビットの各々はUEのためのダウンリンク伝送が時間周波数領域の対応する部分に存在するかどうかを示し、ビットマップのビットは、異なる時分割に対応する時分割ビットグループのシーケンスを含み、時分割ビットグループの各々は1つ以上のビットを含み、時分割ビットグループの各々の1つ以上のビットは1つ以上の周波数分割に対応し、時分割ビットグループの各々の1つ以上のビットは同じ時分割に対応する、UE。
【０１３１】
実施例10．ビットマップに含まれるビットは連続ビットであり、時分割ビットグループの各々は2つ以上の連続ビットを含む、実施例9のUE。
【０１３２】
実施例11．時分割ビットグループの各々は、最初の周波数分割に対応する第1のビットおよび最後の周波数分割に対応する第2のビットを含む、上記の実施例のいずれかのUE。
【０１３３】
実施例12．時分割ビットグループの各々の第1のビットは同じ最初の周波数分割に対応し、時分割ビットグループの各々の第2のビットは同じ最後の周波数分割に対応する、実施例11のUE。
【０１３４】
実施例13．1つ以上のプロセッサは命令をさらに実行して、DCIメッセージのペイロードサイズを示す第1の無線リソース制御（RRC）メッセージを受信する、上記の実施例のいずれかのUE。
【０１３５】
実施例14．第1のRRCメッセージは時間周波数領域をさらに示す、実施例13のUE。
【０１３６】
実施例15．第1のRRCメッセージは時間および周波数分割それぞれの粒度をさらに示す、実施例13のUE。
【０１３７】
実施例16．ビットマップのビットの各々は、時間周波数領域の対応する部分に別のUEのためのためのダウンリンク伝送が存在するかどうかを示す、上記の実施例のいずれかのUE。
【０１３８】
実施例17．無線通信のための方法であって、基地局（BS）によってユーザ機器（UE）に、ダウンリンク伝送を搬送するために割り当てられた第1のリソースを介して第1の信号を送信するステップと、BSによってUEに、第1のダウンリンク制御指示（DCI）メッセージを送信するステップであって、第1のDCIメッセージは時間周波数領域の異なる部分に関連付けられたビットを含むビットマップを含み、ビットマップのビットの各々はUEのためのダウンリンク伝送が時間周波数領域の対応する部分に存在するかどうかを示し、ビットマップのビットは、異なる時分割に対応する時分割ビットグループのシーケンスを含み、時分割ビットグループの各々は1つ以上のビットを含み、時分割ビットグループの各々の1つ以上のビットは1つ以上の周波数分割に対応し、時分割ビットグループの各々の1つ以上のビットは同じ時分割に対応する、ステップとを含む、方法。
【０１３９】
実施例18．ビットマップに含まれるビットは連続ビットであり、時分割ビットグループの各々は2つ以上の連続ビットを含む、実施例17の方法。
【０１４０】
実施例19．時分割ビットグループの各々は、第1のビットおよび第2のビットを含み、第1のビットは最初の周波数分割に対応し、第2のビットは最後の周波数分割に対応する、上記の実施例のいずれかの方法。
【０１４１】
実施例20．時分割ビットグループの各々の第1のビットは同じ最初の周波数分割に対応し、時分割ビットグループの各々の第2のビットは同じ最後の周波数分割に対応する、実施例19の方法。
【０１４２】
実施例21．BSによってUEに、DCIメッセージのペイロードサイズを示す第1の無線リソース制御（RRC）メッセージを送信するステップをさらに含む、上記の実施例のいずれかの方法。
【０１４３】
実施例22．第1のRRCメッセージは時間周波数領域をさらに示す、実施例21の方法。
【０１４４】
実施例23．第1のRRCメッセージは時間および周波数分割それぞれの粒度をさらに示す、実施例21の方法。
【０１４５】
実施例24．ビットマップのビットの各々は、時間周波数領域の対応する部分に別のUEのための先取りダウンリンク伝送が存在するかどうかを示す、上記の実施例のいずれかの方法。
【０１４６】
実施例25．無線通信用に設定された基地局（BS）であって、BSは、命令を含む非一時的なメモリストレージと、メモリと通信する1つ以上のプロセッサであって、1つ以上のプロセッサは、命令を実行して、ユーザ機器（UE）に、ダウンリンク伝送を搬送するために割り当てられた第1のリソースを介して第1の信号を送信し、UEに第1のダウンリンク制御指示（DCI）メッセージを送信する、1つ以上のプロセッサとを含み、第1のDCIメッセージは時間周波数領域の異なる部分に関連付けられたビットを含むビットマップを含み、ビットマップのビットの各々はUEのためのダウンリンク伝送が時間周波数領域の対応する部分に存在するかどうかを示し、ビットマップのビットは、異なる時分割に対応する時分割ビットグループのシーケンスを含み、時分割ビットグループの各々は1つ以上のビットを含み、時分割ビットグループの各々の1つ以上のビットは1つ以上の周波数分割に対応し、時分割ビットグループの各々の1つ以上のビットは同じ時分割に対応する、BS。
【０１４７】
実施例26．ビットマップに含まれるビットは連続ビットであり、時分割ビットグループの各々は2つ以上の連続ビットを含む、実施例25のBS。
【０１４８】
実施例27．時分割ビットグループの各々は、最初の周波数分割に対応する第1のビットおよび最後の周波数分割に対応する第2のビットを含む、上記の実施例のいずれかのBS。
【０１４９】
実施例28．時分割ビットグループの各々の第1のビットは同じ最初の周波数分割に対応し、時分割ビットグループの各々の第2のビットは同じ最後の周波数分割に対応する、実施例27のBS。
【０１５０】
実施例29．1つ以上のプロセッサはさらに命令を実行して、DCIメッセージのペイロードサイズを示す第1の無線リソース制御（RRC）メッセージをUEに送信する、上記の実施例のいずれかのBS。
【０１５１】
実施例30．第1のRRCメッセージは時間周波数領域をさらに示す、実施例29のBS。
【０１５２】
実施例31．第1のRRCメッセージは時間および周波数分割それぞれの粒度をさらに示す、実施例29のBS。
【０１５３】
実施例32．ビットマップのビットの各々は、時間周波数領域の対応する部分に別のUEのためのダウンリンク伝送が存在するかどうかを示す、上記の実施例のいずれかのBS。
【０１５４】
説明を詳細に説明したが、時間および周波数領域でレイテンシトレラントトラフィックのリソース割り当てが低レイテンシトラフィックのリソース割り当てと重複することを理解する必要があり、さまざまな変更、置換、および変更は、添付の特許請求の範囲によって定義される本開示の精神および範囲を離れることなく行われ得る。さらに、本開示の範囲は、本明細書に記載される特定の実施形態に限定されるものではなく、当業者が本開示から容易に理解するように、現在存在するまたは後に開発されるプロセス、機械、製品、組成物、手段、方法、またはステップは、本明細書に記載される対応する実施形態と実質的に同じ機能を実行し得るか、または実質的に同じ結果を達成し得る。したがって、添付の特許請求の範囲は、そのようなプロセス、機械、製品、組成物、手段、方法、またはステップをその範囲内に含むことが意図されている。
【符号の説明】
【０１５５】
100  ネットワーク
110  基地局
112  カバレッジ領域
120  モバイルデバイス
130  バックホールネットワーク
140  モバイルデバイス
302  eMBB制御情報
304  eMBBシンボル
306  ロングCP URLLCシンボル
308  通常のCP URLLCシンボル
310  通常のCP eMBBシンボル
401  レイテンシトレラント制御情報
402  レイテンシトレラント制御情報
404  ミニスロット
502  ミニスロット
506  インジケータシーケンス
801  時間周波数サブ領域
802  時間周波数サブ領域
803  時間周波数サブ領域
804  時間周波数サブ領域
805  時間周波数サブ領域
806  時間周波数サブ領域
807  時間周波数サブ領域
808  時間周波数サブ領域
809  先取り指示／インジケータ
810  先取り指示／インジケータ
811  URLLCデータ伝送
812  URLLCデータ伝送
813  URLLCデータ伝送
814  eMBB伝送
815  eMBB伝送
901  時間周波数サブ領域、時間パーティション
902  時間周波数サブ領域、時間パーティション
903  時間周波数サブ領域、時間パーティション
904  時間周波数サブ領域、時間パーティション
905  時間周波数サブ領域、時間パーティション
906  時間周波数サブ領域、時間パーティション
907  時間周波数サブ領域、時間パーティション
908  時間周波数サブ領域、時間パーティション
909  先取り指示／インジケータ
910  先取り指示／インジケータ
911  URLLCデータ伝送
912  URLLCデータ伝送
913  URLLCデータ伝送
914  eMBB伝送
915  eMBB伝送
1000  先取り指示
1002  フィールドA
1004  フィールドB
1006  フィールドC
1008  追加フィールド
1102  持続時間
1104  持続時間
1202  BWP1
1204  BWP2
1206  帯域幅
1402  PRA
1404  PRA
1406  PRA
1408  PRB
1410  GC DCI A
1412  GC DCI A
1414  GC DCI A
1416  GC DCI B
1504  GC−PDCCH
1506  GC−PDCCH
1510  GC−PDCCH
1512  GC−PDCCH
1602  GC DCI
1604  GC DCI
1606  GC DCI
1608  GC DCI
1610  GC DCI
1612  GC DCI
1614  BWP
1616  BWP
1618  BWP
1622  BWP2
1624  セル／キャリアBW
1628  先取り送信イベント
1700  処理システム
1704  プロセッサ
1706  メモリ
1710  インタフェース
1712  インタフェース
1714  インタフェース
1800  トランシーバ
1802  ネットワーク側インタフェース
1804  カプラ
1806  送信器
1808  受信器
1810  信号プロセッサ
1812  デバイス側インタフェース
1900  方法
1902  動作
1904  動作
2000  方法
2002  動作
2004  動作
【図１】
2020530960.tif 000008
【図２】
2020530960.tif 000009
【図３】
2020530960.tif 000010
【図４】
2020530960.tif 000011
【図５】
2020530960.tif 000012
【図６】
2020530960.tif 000013
【図７】
2020530960.tif 000014
【図８】
2020530960.tif 000015
【図９】
2020530960.tif 000016
【図１０】
2020530960.tif 000017
【図１１】
2020530960.tif 000018
【図１２】
2020530960.tif 000019
【図１３】
2020530960.tif 000020
【図１４】
2020530960.tif 000021
【図１５】
2020530960.tif 000022
【図１６】
2020530960.tif 000023
【図１７】
2020530960.tif 000024
【図１８】
2020530960.tif 000025
【図１９】
2020530960.tif 000026
【図２０】
2020530960.tif 000027
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器（UE）によって基地局（BS）から、ダウンリンク伝送を搬送するために割り当てられた第1のリソースを介して第1の信号を受信するステップと、
前記UEによって前記BSから、第1のダウンリンク制御指示（DCI）メッセージを受信するステップであって、前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、ステップとを含む、方法。
【請求項２】
前記ビットマップに含まれる前記ビットは連続ビットであり、前記時分割ビットグループの各々は2つ以上の連続ビットを含む、請求項1に記載の方法。
【請求項３】
前記時分割ビットグループの各々は第1のビットおよび第2のビットを含み、前記第1のビットは最初の周波数分割に対応し、前記第2のビットは最後の周波数分割に対応する、請求項1または2に記載の方法。
【請求項４】
前記時分割ビットグループの各々の前記第1のビットは同じ最初の周波数分割に対応し、前記時分割ビットグループの各々の前記第2のビットは同じ最後の周波数分割に対応する、請求項3に記載の方法。
【請求項５】
前記UEによって前記BSから、前記DCIメッセージのペイロードサイズを示す第1の無線リソース制御（RRC）メッセージを受信するステップ
をさらに含む、請求項1から4のいずれか一項に記載の方法。
【請求項６】
前記第1のRRCメッセージは時間および周波数分割それぞれの粒度をさらに示す、請求項5に記載の方法。
【請求項７】
前記ビットマップの前記ビットの各々は、前記時間周波数領域の前記対応する部分に別のUEのための先取りダウンリンク伝送が存在するかどうかを示す、請求項1から6のいずれか一項に記載の方法。
【請求項８】
前記UEによって上位層構成指示を受信するステップであって、前記構成指示は無線ネットワーク一時識別子（RNTI）で前記UEを構成する、ステップをさらに含む、請求項1から7のいずれか一項に記載の方法。
【請求項９】
無線通信用に設定されたユーザ機器（UE）であって、前記UEは、
命令を含む非一時的なコンピュータ可読媒体と、
前記コンピュータ可読媒体と通信する1つ以上のプロセッサであって、前記1つ以上のプロセッサは、前記命令を実行して
基地局（BS）から、ダウンリンク伝送を搬送するために割り当てられた第1のリソースを介して第1の信号を受信し、
前記BSから第1のダウンリンク制御指示（DCI）メッセージを受信する、1つ以上のプロセッサとを含み、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、UE。
【請求項１０】
前記ビットマップに含まれる前記ビットは連続ビットであり、前記時分割ビットグループの各々は2つ以上の連続ビットを含む、請求項9に記載のUE。
【請求項１１】
前記時分割ビットグループの各々は第1のビットおよび第2のビットを含み、前記第1のビットは最初の周波数分割に対応し、前記第2のビットは最後の周波数分割に対応する、請求項9または10に記載のUE。
【請求項１２】
前記時分割ビットグループの各々の前記第1のビットは同じ最初の周波数分割に対応し、前記時分割ビットグループの各々の前記第2のビットは同じ最後の周波数分割に対応する、請求項11に記載のUE。
【請求項１３】
前記1つ以上のプロセッサは、前記命令をさらに実行して、
前記DCIメッセージのペイロードサイズを示す第1の無線リソース制御（RRC）メッセージを受信する、請求項9から12のいずれか一項に記載のUE。
【請求項１４】
前記第1のRRCメッセージは時間および周波数分割それぞれの粒度をさらに示す、請求項13に記載のUE。
【請求項１５】
前記ビットマップの前記ビットの各々は、前記時間周波数領域の前記対応する部分に別のUEのための先取りダウンリンク伝送が存在するかどうかを示す、請求項9から14のいずれか一項に記載のUE。
【請求項１６】
前記UEによって上位層構成指示を受信するステップであって、前記構成指示は無線ネットワーク一時識別子（RNTI）で前記UEを構成する、ステップをさらに含む、請求項9から15のいずれか一項に記載のUE。
【請求項１７】
無線通信のための方法であって、
基地局（BS）によってユーザ機器（UE）へ、ダウンリンク伝送を搬送するために割り当てられた第1のリソースを介して第1の信号を送信するステップと、前記BSによって前記UEに、第1のダウンリンク制御指示（DCI）メッセージを送信するステップであって、前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、ステップとを含む、方法。
【請求項１８】
前記ビットマップに含まれる前記ビットは連続ビットであり、前記時分割ビットグループの各々は2つ以上の連続ビットを含む、請求項17に記載の方法。
【請求項１９】
前記時分割ビットグループの各々は第1のビットおよび第2のビットを含み、前記第1のビットは最初の周波数分割に対応し、前記第2のビットは最後の周波数分割に対応する、請求項17または18に記載の方法。
【請求項２０】
前記時分割ビットグループの各々の前記第1のビットは同じ最初の周波数分割に対応し、前記時分割ビットグループの各々の前記第2のビットは同じ最後の周波数分割に対応する、請求項19に記載の方法。
【請求項２１】
前記BSによって前記UEに、前記DCIメッセージのペイロードサイズを示す第1の無線リソース制御（RRC）メッセージを送信するステップ
をさらに含む、請求項17から20のいずれか一項に記載の方法。
【請求項２２】
前記第1のRRCメッセージは時間および周波数分割それぞれの粒度をさらに示す、請求項21に記載の方法。
【請求項２３】
前記ビットマップの前記ビットの各々は、前記時間周波数領域の前記対応する部分に別のUEのための先取りダウンリンク伝送が存在するかどうかを示す、請求項17から22のいずれか一項に記載の方法。
【請求項２４】
前記UEによって上位層構成指示を受信するステップであって、前記構成指示は無線ネットワーク一時識別子（RNTI）で前記UEを構成する、ステップをさらに含む、請求項17から23のいずれか一項に記載の方法。
【請求項２５】
無線通信用に設定された基地局（BS）であって、前記BSは、
命令を含む非一時的なコンピュータ可読媒体と、
前記コンピュータ可読媒体と通信する1つ以上のプロセッサであって、前記1つ以上のプロセッサは、前記命令を実行して
ユーザ機器（UE）へ、ダウンリンク伝送を搬送するために割り当てられた第1のリソースを介して第1の信号を送信し、
前記UEに第1のダウンリンク制御指示（DCI）メッセージを送信する、1つ以上のプロセッサとを含み、
前記第1のDCIメッセージは時間周波数領域の異なる部分に関連付けられたビットを含むビットマップを含み、前記ビットマップの前記ビットの各々は前記UEのためのダウンリンク伝送が前記時間周波数領域の対応する部分に存在するかどうかを示し、前記ビットマップの前記ビットは、異なる時分割に対応する時分割ビットグループのシーケンスを含み、前記時分割ビットグループの各々は1つ以上のビットを含み、前記時分割ビットグループの各々の前記1つ以上のビットは1つ以上の周波数分割に対応し、前記時分割ビットグループの各々の前記1つ以上のビットは同じ時分割に対応する、BS。
【請求項２６】
前記ビットマップに含まれる前記ビットは連続ビットであり、前記時分割ビットグループの各々は2つ以上の連続ビットを含む、請求項25に記載のBS。
【請求項２７】
前記時分割ビットグループの各々は第1のビットおよび第2のビットを含み、前記第1のビットは最初の周波数分割に対応し、前記第2のビットは最後の周波数分割に対応する、請求項25または26に記載のBS。
【請求項２８】
前記時分割ビットグループの各々の前記第1のビットは同じ最初の周波数分割に対応し、前記時分割ビットグループの各々の前記第2のビットは同じ最後の周波数分割に対応する、請求項27に記載のBS。
【請求項２９】
前記1つ以上のプロセッサは、前記命令をさらに実行して、
前記DCIメッセージのペイロードサイズを示す第1の無線リソース制御（RRC）メッセージを前記UEに送信する、請求項25から28のいずれか一項に記載のBS。
【請求項３０】
前記第1のRRCメッセージは時間および周波数分割それぞれの粒度をさらに示す、請求項29に記載のBS。
【請求項３１】
前記ビットマップの前記ビットの各々は、前記時間周波数領域の前記対応する部分に別のUEのための先取りダウンリンク伝送が存在するかどうかを示す、請求項25から30のいずれか一項に記載のBS。
【請求項３２】
前記UEによって上位層構成指示を受信するステップであって、前記構成指示は無線ネットワーク一時識別子（RNTI）で前記UEを構成する、ステップをさらに含む、請求項25から31のいずれか一項に記載のBS。
【国際調査報告】
2020530960.tif 000028
2020530960.tif 000029